(57)【要約】【課題】１枚構成でＮＡの大きい対物レンズを実現する。【解決手段】使用波長：６５０±２０ｎｍで光照射側基板厚：０．１ｍｍの光記録媒体に対して情報の記録・再生・消去の１以上を行う無限系の光ピックアップにおいて、光源側からの光束を光記録媒体の記録面上に光スポットとして集光させるための対物レンズであって、単レンズとして構成され、両面が非球面であり、開口数：ＮＡが、０．６５≦ＮＡ＜０．７５の範囲にあり、光源側面の近軸曲率半径：Ｒ１、ワーキングディスタンス：ＷＤ、ｄ線に対する材質の屈折率：ｎｄ、焦点距離：ｆが所定の条件を満足する。【選択図】図１
2007080505.tif 000002
【特許請求の範囲】
【請求項１】
使用波長：６５０±２０ｎｍで光照射側基板厚：０．１ｍｍの光記録媒体に対して情報の記録・再生・消去の１以上を行う無限系の光ピックアップにおいて、光源側からの光束を上記光記録媒体の記録面上に光スポットとして集光させるための対物レンズであって、
単レンズとして構成され、両面が非球面であり、開口数：ＮＡが０．６５≦ＮＡ＜０．７５の範囲にあり、
光源側面の近軸曲率半径：Ｒ１、ワーキングディスタンス：ＷＤ、ｄ線に対する材質の屈折率：ｎｄ、焦点距離：ｆが、条件：
（１）    １．２ｎｄ−１．１＜Ｒ１/ｆ≦１．３ｎｄ−１．２
（２）    ０．３７ｎｄ−０．１４＜ＷＤ/ｆ≦０．３９ｎｄ−０．０４  
を満足することを特徴とする光ピックアップ用対物レンズ。 
【請求項２】
請求項１記載の光ピックアップ用対物レンズにおいて、
ｄ線に対する材質の屈折率：ｎｄおよびアッベ数：νｄが、条件：
（３）    νｄ≦６０  
（４）    １．５≦ｎｄ  
を満足することを特徴とする光ピックアップ用対物レンズ。
【請求項３】
使用波長：６５０±２０ｎｍで光照射側基板厚：０．１ｍｍの光記録媒体に対して情報の記録・再生・消去の１以上を行う無限系の光ピックアップにおいて、光源側からの光束を上記光記録媒体の記録面上に光スポットとして集光させるための対物レンズであって、
単レンズとして構成され、両面が非球面であり、開口数：ＮＡが０．７５≦ＮＡ＜０．８５の範囲にあり、
光源側面の近軸曲率半径：Ｒ１、ワーキングディスタンス：ＷＤ、ｄ線に対する材質の屈折率：ｎｄ、焦点距離：ｆが、条件：
（５）    １．０ｎｄ−０．７＜Ｒ１/ｆ≦１．２ｎｄ−１．１  
（６）    ０．３３ｎｄ−０．１８＜ＷＤ/ｆ≦０．３７ｎｄ−０．１４  
を満足することを特徴とする光ピックアップ用対物レンズ。 
【請求項４】
請求項３記載の光ピックアップ用対物レンズにおいて、
ｄ線に対する材質の屈折率：ｎｄおよびアッベ数：νｄが、条件：
（７）    νｄ≦６０  
（８）    １．６≦ｎｄ  
を満足することを特徴とする光ピックアップ用対物レンズ。 
【請求項５】
使用波長：６５０±２０ｎｍで光照射側基板厚：０．１ｍｍの光記録媒体に対して情報の記録・再生・消去の１以上を行う無限系の光ピックアップにおいて、光源側からの光束を上記光記録媒体の記録面上に光スポットとして集光させるための対物レンズであって、
単レンズとして構成され、両面が非球面であり、開口数：ＮＡが０．８５≦ＮＡの範囲にあり、
光源側面の近軸曲率半径：Ｒ１、ワーキングディスタンス：ＷＤ、ｄ線に対する材質の屈折率：ｎｄ、焦点距離：ｆが、条件：
（９）    Ｒ１/ｆ≦１．０ｎｄ−０．７  
（１０）  ＷＤ/ｆ≦０．３３ｎｄ−０．１８  
を満足することを特徴とする光ピックアップ用対物レンズ。
【請求項６】
請求項５記載の光ピックアップ用対物レンズにおいて、
ｄ線に対する材質の屈折率：ｎｄおよびアッベ数：νｄが、条件：
（１１）  ３０≦νｄ≦５０  
（１２）  １．６５≦ｎｄ≦１．８０  
を満足することを特徴とする光ピックアップ用対物レンズ。 
【請求項７】
請求項１〜６の任意の１に記載の光ピックアップ用対物レンズにおいて、
光源側に凸面を向けたメニスカスレンズであることを特徴とする光ピックアップ用対物レンズ。
【請求項８】
請求項２または４または６記載の光ピックアップ用対物レンズにおいて、
光源側に強い曲率の面を向けた両凸レンズであることを特徴とする光ピックアップ用対物レンズ。
【請求項９】
使用波長：４０７±１０ｎｍで光照射側基板厚：０．１ｍｍの光記録媒体に対して情報の記録・再生・消去の１以上を行う無限系の光ピックアップにおいて、光源側からの光束を上記光記録媒体の記録面上に光スポットとして集光させるための対物レンズであって、
単レンズとして構成され、両面が非球面であり、開口数：ＮＡが０．６５≦ＮＡ＜０．７５の範囲にあり、
光源側面の近軸曲率半径：Ｒ１、ワーキングディスタンス：ＷＤ、ｄ線に対する材質の屈折率：ｎｄ、焦点距離：ｆが、条件：
（１３）  １．２ｎｄ−１．１＜Ｒ１/ｆ≦１．３ｎｄ−１．２  
（１４）  ０．３７ｎｄ−０．１４＜ＷＤ/ｆ≦０．３９ｎｄ−０．０４  
を満足することを特徴とする光ピックアップ用対物レンズ。 
【請求項１０】
請求項９記載の光ピックアップ用対物レンズにおいて、
ｄ線に対する材質の屈折率：ｎｄおよびアッベ数：νｄが、条件：
（１５）  νｄ≦６０  
（１６）  １．５≦ｎｄ  
を満足することを特徴とする光ピックアップ用対物レンズ。 
【請求項１１】
使用波長：４０７±１０ｎｍで光照射側基板厚：０．１ｍｍの光記録媒体に対して情報の記録・再生・消去の１以上を行う無限系の光ピックアップにおいて、光源側からの光束を上記光記録媒体の記録面上に光スポットとして集光させるための対物レンズであって、
単レンズとして構成され、両面が非球面であり、開口数：ＮＡが０．７５≦ＮＡ＜０．８５の範囲にあり、
光源側面の近軸曲率半径：Ｒ１、ワーキングディスタンス：ＷＤ、ｄ線に対する材質の屈折率：ｎｄ、焦点距離：ｆが、条件：
（１７）  １．０ｎｄ−０．７＜Ｒ１/ｆ≦１．２ｎｄ−１．１  
（１８）  ０．３３ｎｄ−０．１８＜ＷＤ/ｆ≦０．３７ｎｄ−０．１４  
を満足することを特徴とする光ピックアップ用対物レンズ。 
【請求項１２】
請求項１１記載の光ピックアップ用対物レンズにおいて、
ｄ線に対する材質の屈折率：ｎｄおよびアッベ数：νｄが、条件：
（１９）  νｄ≦６０  
（２０）  １．６≦ｎｄ≦１．８  
を満足することを特徴とする光ピックアップ用対物レンズ。 
【請求項１３】
使用波長：４０７±１０ｎｍで光照射側基板厚：０．１ｍｍの光記録媒体に対して情報の記録・再生・消去の１以上を行う無限系の光ピックアップにおいて、光源側からの光束を上記光記録媒体の記録面上に光スポットとして集光させるための対物レンズであって、
単レンズとして構成され、両面が非球面であり、開口数：ＮＡが０．８５≦ＮＡの範囲にあり、
光源側面の近軸曲率半径：Ｒ１、ワーキングディスタンス：ＷＤ、ｄ線に対する材質の屈折率：ｎｄ、焦点距離：ｆが、条件：
（２１）  Ｒ１/ｆ≦１．０ｎｄ−０．７  
（２２）  ＷＤ/ｆ≦０．３３ｎｄ−０．１８  
を満足することを特徴とする光ピックアップ用対物レンズ。 
【請求項１４】
請求項１３記載の光ピックアップ用対物レンズにおいて、
ｄ線に対する材質の屈折率：ｎｄおよびアッベ数：νｄが、条件：
（２３）  ４５≦νｄ≦５５  
（２４）  １．６５≦ｎｄ≦１．７２  
を満足することを特徴とする光ピックアップ用対物レンズ。 
【請求項１５】
請求項９〜１４記載の光ピックアップ用対物レンズにおいて、
光源側に凸面を向けたメニスカスレンズであることを特徴とする光ピックアップ用対物レンズ。
【請求項１６】
請求項１０または１２または１４に記載の光ピックアップ用対物レンズにおいて、
光源側に強い曲率の面を向けた両凸レンズであることを特徴とする光ピックアップ用対物レンズ。
【請求項１７】
使用波長：６５０±２０ｎｍで光照射側基板厚：０．１ｍｍの光記録媒体に対して情報の記録・再生・消去の１以上を行う無限系の光ピックアップであって、
光源からの光束を上記光記録媒体の記録面上に光スポットとして集光させるための対物レンズとして、請求項１〜８の任意の１に記載の光ピックアップ用対物レンズを用いることを特徴とする光ピックアップ。
【請求項１８】
使用波長：４０７±２０ｎｍで光照射側基板厚：０．１ｍｍの光記録媒体に対して情報の記録・再生・消去の１以上を行う無限系の光ピックアップであって、
光源からの光束を上記光記録媒体の記録面上に光スポットとして集光させるための対物レンズとして、請求項９〜１６の任意の１に記載の光ピックアップ用対物レンズを用いることを特徴とする光ピックアップ。
【請求項１９】
請求項１７または１８記載の光ピックアップにおいて、
波長変動に起因する色収差を補正するための色収差補正手段を有することを特徴とする光ピックアップ。
【請求項２０】
請求項１９記載の光ピックアップにおいて、
色収差補正手段が、ダブレットレンズであるか、光ピックアップ用対物レンズに設けられた樹脂コート、あるいは、光ピックアップ用対物レンズに設けられた回折面であることを特徴とする光ピックアップ。
【請求項２１】
請求項１７〜２０の任意の１に記載の光ピックアップにおいて、
光記録媒体の光照射側基板の基板厚誤差を検出する基板厚誤差検出手段と、
上記基板厚誤差に起因する球面収差を、上記基板厚誤差検出手段が検出する基板厚誤差に基づいて補正する球面収差補正手段とを有することを特徴とする光ピックアップ。
【請求項２２】
請求項２１記載の光ピックアップにおいて、
球面収差補正手段が、レンズ間隔可変の正・負２群レンズであるか、同心円状の電極パターンを持つ液晶素子であることを特徴とする光ピックアップ。
【請求項２３】
記録面が多層に重畳され、光照射側基板厚：０．１ｍｍで、使用波長：６５０±２０ｎｍの光記録媒体に対して情報の記録・再生・消去の１以上を行う無限系の光ピックアップであって、
光照射側基板面から任意の記録面までの間隔に応じて変化する球面収差を検出する球面収差検出手段と、
この球面収差検出手段により検出された球面収差を補正する球面収差補正手段とを有し、
光源からの光束を上記光記録媒体の所望の記録面上に光スポットとして集光させるための対物レンズとして、請求項１〜８の任意の１に記載の光ピックアップ用対物レンズを用いることを特徴とする光ピックアップ。
【請求項２４】
記録面が多層に重畳され、光照射側基板厚：０．１ｍｍで、使用波長：４０７±１０ｎｍの光記録媒体に対して情報の記録・再生・消去の１以上を行う無限系の光ピックアップであって、
光照射側基板面から任意の記録面までの間隔に応じて変化する球面収差を検出する球面収差検出手段と、
この球面収差検出手段により検出された球面収差を補正する球面収差補正手段とを有し、
光源からの光束を上記光記録媒体の所望の記録面上に光スポットとして集光させるための対物レンズとして、請求項９〜１６の任意の１に記載の光ピックアップ用対物レンズを用いることを特徴とする光ピックアップ。
【請求項２５】
請求項２３または２４記載の光ピックアップにおいて、
波長変動に起因する色収差を補正するための色収差補正手段を有することを特徴とする光ピックアップ。
【請求項２６】
請求項１９〜２５の任意の１に記載の光ピックアップにおいて、
色収差補正手段と球面収差補正手段を有し、これら２手段が一体であることを特徴とする光ピックアップ。
【請求項２７】
光記録媒体に対して、光ピックアップを用いて情報の記録・再生・消去の１以上を行う、光情報処理装置であって、
光ピックアップとして、請求項１７〜２６の任意の１に記載のものを用いたことを特徴とする光情報処理装置。
【発明の詳細な説明】
【技術分野】
【０００１】
この発明は、光ピックアップ用対物レンズおよび光ピックアップおよび光情報処理装置に関する。
【背景技術】
【０００２】
ＣＤ（コンパクトディスク）やＤＶＤ（デジタルビデオディスク）に代表される「光記録媒体」に対し、光ピックアップを用いて情報の記録・再生・消去を行う「光情報処理装置」は広く普及し、日常生活に欠くことのできないものとなりつつある。このような光情報処理の技術においては、光記録媒体に対する情報記録の高密度化が課題として常に求められている。
【０００３】
光記録媒体の記録面上に形成される光スポットは、光ピックアップの対物レンズにより集束されるレーザ光束のビームウエストにより形成され、ビームウエスト径が対物レンズの開口数（ＮＡ）に反比例し、レーザ光束の波長に比例することから、情報記録の高密度化を実現する方策として、光ピックアップにおける対物レンズの開口数の増大と、レーザ光束の短波長化が求められている。
【０００４】
レーザ光束の短波長化に関しては、ＤＶＤ用の「６６０ｎｍ近傍の発光波長」を持つ半導体レーザがすでに実用化され、近来、波長：４００ｎｍ程度のレーザ光源が実用化されつつある。
【０００５】
開口数の大きい対物レンズとしては、ＮＡ：０．７以上のものが提案されている（例えば、特許文献１）。しかし、従来提案された開口数の大きい対物レンズは何れも「２枚組」であるため、１枚構成の対物レンズに比して組付工程の増加・組付の高精度化が不可避であり、重量増大による高速駆動の困難性等の問題もある。
【０００６】
また、２枚組の対物レンズでは、光記録媒体との間隔に相当するワーキングディスタンスが小さくなり、情報記録媒体と対物レンズの接触により光記録媒体やレンズに傷が生じる可能性が増大し、高信頼性の実現が難しい。
【０００７】
一方、１枚構成の対物レンズには上記の如き問題はないが、開口数を大きくするのが困難であるとされ、現在知られているものでは、開口数：６．５程度が最大である。
【０００８】
従来、光記録媒体における「光照射側基板厚（光が照射される側の面から記録面に至る距離）」は、ＣＤに対して１．２ｍｍ、ＤＶＤに対して０．６ｍｍが規格であるが、近来、光照射側基板厚を０．１ｍｍに規格化する動向があり、早晩この新規格が実現するものと考えられている。
【０００９】
光ピックアップの光源として一般的に用いられる半導体レーザの発光波長には個体ごとの「ばらつき」があり、また、半導体レーザには温度変化等により中心波長が数ｎｍ変化するモードホッピングの現象もある。
【００１０】
光ピックアップにおいて、半導体レーザから放射される波長が、「個体ごとのばらつき」により、光学系設計の基準波長と異なる場合や、モードホッピングで変化した場合、光ピックアップ光学系に色収差が生じ、記録面上で光スポットのスポット径が増大し、記録動作や再生動作に支障をきたす虞れがある。
【００１１】
特に、発光波長：４４０ｎｍ以下の短波長半導体レーザを光源に用いる場合、波長変動により対物レンズで生じる色収差は許容できない問題となる。即ち、このような短波長領域では、微小な波長変動に対する屈折率変化が大きくなって色収差も大きくなり、焦点の移動量であるデフォーカス量が大きくなるが、光記録媒体への高密度化のため光スポットを小径化すると、対物レンズの焦点深度：ｄが、波長：λ、開口数：ＮＡと、ｄ＝λ/(ＮＡ)２の関係にあるため、波長：λが短いほど焦点深度：ｄが小さくなり、デフォーカスに対する許容度が厳しくなるのである。
【００１２】
光記録媒体の光照射側基板厚：０．１ｍｍに対し、±１０ｎｍ程度の製造誤差が不可避である。このような基板厚誤差は、規格基板厚に応じて設計された対物レンズの結像に球面収差を発生させて光スポット径を拡大させ、光ピックアップの動作に支障をきたす虞れがある。周知の如く、球面収差は、対物レンズの開口数：ＮＡの４乗に比例して発生するので、対物レンズの開口数が大きくなるにつれて、基板厚誤差の影響も大きくなる。
【００１３】
光記録媒体として、近時、記録の大容量化を目して、記録面を複数層に重畳させた所謂「多層光記録媒体」が実用化されつつある。多層光記録媒体では、複数の記録面に対して独立に情報の記録・再生・消去を行うため、数１０μｍ以上の記録面間隔（スペーサ厚）を必要とし、記録面毎に対物レンズからの距離が違うので、最適な位置からずれた記録面では球面収差が生じることになる。
【００１４】
【特許文献１】特開平１０−１２３４１０号公報
【発明の開示】
【発明が解決しようとする課題】
【００１５】
この発明は上述した事情に鑑み、単レンズ構成で、光スポット径の小径化に有効な、ＮＡの大きい光ピックアップ用対物レンズ、この光ピックアップ用対物レンズを用いた光ピックアップ、光情報処理装置の実現を課題とする。
【００１６】
この発明はまた、上記光ピックアップ用対物レンズを用いる光ピックアップにおいて、波長変動に起因する色収差を抑制し、動作精度を高めることを別の課題とする。
【００１７】
この発明はまた、上記光ピックアップ用対物レンズを用いる光ピックアップにおいて、基板厚誤差に起因する球面収差を補正し、光ピックアップの信頼性を高めることを他の課題とする。
【００１８】
この発明はまた、上記光ピックアップ用対物レンズを用いる光ピックアップにおいて、多層光記録媒体に対し、各記録面に対し良好な記録・再生・消去の１以上を行いうるようにすることを他の課題とする。
【課題を解決するための手段】
【００１９】
請求項１記載の光ピックアップ用対物レンズは「使用波長：６５０±２０ｎｍで光照射側基板厚：０．１ｍｍの光記録媒体に対して情報の記録・再生・消去の１以上を行う無限系の光ピックアップにおいて、光源側からの光束を光記録媒体の記録面上に光スポットとして集光させるための対物レンズ」である。
【００２０】
情報の記録・再生・消去の１以上を行うとは、情報の記録のみを行うこと、再生のみを行うこと、消去のみを行うこと、記録と再生とを行うこと、記録と消去とを行うこと、再生と消去とを行うこと、記録と再生と消去とを行うことを総称する。「無限系の光ピックアップ」は、光ピックアップ用対物レンズに対する設計上の物点(光源)が無限遠となるように設計された光ピックアップである。以下の説明においても同様である。
【００２１】
請求項１記載の光ピックアップ用対物レンズは、以下の如き特徴を有する。  
即ち、この対物レンズは、単レンズとして構成され、両面が非球面であり、開口数：ＮＡが０．６５≦ＮＡ＜０．７５の範囲にある。そして、光源側面の近軸曲率半径：Ｒ１、ワーキングディスタンス：ＷＤ、ｄ線に対する材質の屈折率：ｎｄ、焦点距離：ｆが、条件：
（１）    １．２ｎｄ−１．１＜Ｒ１/ｆ≦１．３ｎｄ−１．２  
（２）    ０．３７ｎｄ−０．１４＜ＷＤ/ｆ≦０．３９ｎｄ−０．０４  
を満足する。
【００２２】
請求項２記載の光ピックアップ用対物レンズは、請求項１記載の光ピックアップ用対物レンズにおいて、ｄ線に対する材質の屈折率：ｎｄおよびアッベ数：νｄが、条件：
（３）    νｄ≦６０  
（４）    １．５≦ｎｄ  
を満足することを特徴とする。 
請求項３記載の光ピックアップ用対物レンズは「使用波長：６５０±２０ｎｍで光照射側基板厚：０．１ｍｍの光記録媒体に対して情報の記録・再生・消去の１以上を行う無限系の光ピックアップにおいて、光源側からの光束を光記録媒体の記録面上に光スポットとして集光させるための対物レンズ」であって、以下のごとき特徴を有する。
【００２３】
即ち、この光ピックアップ用対物レンズは、単レンズとして構成され、両面が非球面であり、開口数：ＮＡが０．７５≦ＮＡ＜０．８５の範囲にある。そして、光源側面の近軸曲率半径：Ｒ１、ワーキングディスタンス：ＷＤ、ｄ線に対する材質の屈折率：ｎｄ、焦点距離：ｆが、条件：
（５）    １．０ｎｄ−０．７＜Ｒ１/ｆ≦１．２ｎｄ−１．１  
（６）    ０．３３ｎｄ−０．１８＜ＷＤ/ｆ≦０．３７ｎｄ−０．１４  
を満足する。
【００２４】
請求項４記載の光ピックアップ用対物レンズは、請求項３記載の光ピックアップ用対物レンズにおいて、ｄ線に対する材質の屈折率：ｎｄおよびアッベ数：νｄが、条件：
（７）    νｄ≦６０  
（８）    １．６≦ｎｄ  
を満足することを特徴とする。  
請求項５記載の光ピックアップ用対物レンズは「使用波長：６５０±２０ｎｍで光照射側基板厚：０．１ｍｍの光記録媒体に対して情報の記録・再生・消去の１以上を行う無限系の光ピックアップにおいて、光源側からの光束を光記録媒体の記録面上に光スポットとして集光させるための対物レンズ」であって、以下の如き特徴を有する。
【００２５】
即ち、この光ピックアップ用対物レンズは、単レンズとして構成され、両面が非球面であり、開口数：ＮＡが０．８５≦ＮＡの範囲にある。そして、光源側面の近軸曲率半径：Ｒ１、ワーキングディスタンス：ＷＤ、ｄ線に対する材質の屈折率：ｎｄ、焦点距離：ｆが、条件：
（９）    Ｒ１/ｆ≦１．０ｎｄ−０．７  
（１０）  ＷＤ/ｆ≦０．３３ｎｄ−０．１８  
を満足する。
【００２６】
請求項６記載の光ピックアップ用対物レンズは、請求項５記載の光ピックアップ用対物レンズにおいて、ｄ線に対する材質の屈折率：ｎｄおよびアッベ数：νｄが、条件：
（１１）  ３０≦νｄ≦５０  
（１２）  １．６５≦ｎｄ≦１．８０  
を満足する。 
これら、請求項１〜６の任意の１に記載の光ピックアップ用対物レンズは「物体側に凸面を向けたメニスカスレンズ」であることができる(請求項７)。また、上記請求項２または４または６記載の光ピックアップ用対物レンズは「光源側に強い曲率の面を向けた両凸レンズ」であることができる(請求項８)。  
請求項９記載の光ピックアップ用対物レンズは「使用波長：４０７±１０ｎｍで光照射側基板厚：０．１ｍｍの光記録媒体に対して情報の記録・再生・消去の１以上を行う無限系の光ピックアップにおいて、光源側からの光束を光記録媒体の記録面上に光スポットとして集光させるための対物レンズ」であって、以下の如き特徴を有する。
【００２７】
即ち、この光ピックアップ用対物レンズは単レンズとして構成され、両面が非球面であり、開口数：ＮＡが、０．６５≦ＮＡ＜０．７５の範囲にある。そして、光源側面の近軸曲率半径：Ｒ１、ワーキングディスタンス：ＷＤ、ｄ線に対する材質の屈折率：ｎｄ、焦点距離：ｆが、条件：
（１３）  １．２ｎｄ−１．１＜Ｒ１/ｆ≦１．３ｎｄ−１．２  
（１４）  ０．３７ｎｄ−０．１４＜ＷＤ/ｆ≦０．３９ｎｄ−０．０４  
を満足する。
【００２８】
請求項１０記載の光ピックアップ用対物レンズは、請求項９記載の光ピックアップ用対物レンズにおいて、ｄ線に対する材質の屈折率：ｎｄおよびアッベ数：νｄが、条件：
（１５）  νｄ≦６０  
（１６）  １．５≦ｎｄ  
を満足することを特徴とする。
【００２９】
請求項１１記載の光ピックアップ用対物レンズは「使用波長：４０７±１０ｎｍで光照射側基板厚：０．１ｍｍの光記録媒体に対して情報の記録・再生・消去の１以上を行う無限系の光ピックアップにおいて、光源側からの光束を光記録媒体の記録面上に光スポットとして集光させるための対物レンズ」であって、以下の如き特徴を有する。
【００３０】
即ち、この光ピックアップ用対物レンズは、単レンズとして構成され、両面が非球面であり開口数：ＮＡが、０．７５≦ＮＡ＜０．８５の範囲にある。そして、光源側面の近軸曲率半径：Ｒ１、ワーキングディスタンス：ＷＤ、ｄ線に対する材質の屈折率：ｎｄ、焦点距離：ｆが、条件：
（１７）  １．０ｎｄ−０．７＜Ｒ１/ｆ≦１．２ｎｄ−１．１  
（１８）  ０．３３ｎｄ−０．１８＜ＷＤ/ｆ≦０．３７ｎｄ−０．１４  
を満足する。
【００３１】
請求項１２記載の光ピックアップ用対物レンズは、請求項１１記載の光ピックアップ用対物レンズにおいて、ｄ線に対する材質の屈折率：ｎｄおよびアッベ数：νｄが、条件：
（１９）  νｄ≦６０  
（２０）  １．６≦ｎｄ≦１．８  
を満足することを特徴とする。 
請求項１３記載の光ピックアップ用対物レンズは「使用波長：４０７±１０ｎｍで光照射側基板厚：０．１ｍｍの光記録媒体に対して情報の記録・再生・消去の１以上を行う無限系の光ピックアップにおいて、光源側からの光束を光記録媒体の記録面上に光スポットとして集光させるための対物レンズ」であって、以下の如き特徴を有する。
【００３２】
即ち、この光ピックアップ用対物レンズは、単レンズとして構成され、両面が非球面であり、開口数：ＮＡが０．８５≦ＮＡの範囲にある。そして、光源側面の近軸曲率半径：Ｒ１、ワーキングディスタンス：ＷＤ、ｄ線に対する材質の屈折率：ｎｄ、焦点距離：ｆが、条件：
（２１）  Ｒ１/ｆ≦１．０ｎｄ−０．７  
（２２）  ＷＤ/ｆ≦０．３３ｎｄ−０．１８  
を満足する。
【００３３】
請求項１４記載の光ピックアップ用対物レンズは、請求項１３記載の光ピックアップ用対物レンズにおいて、ｄ線に対する材質の屈折率：ｎｄおよびアッベ数：νｄが、条件：
（２３）  ４５≦νｄ≦５５  
（２４）  １．６５≦ｎｄ≦１．７２  
を満足することを特徴とする。
【００３４】
これら、請求項９〜１４の任意の１に記載の光ピックアップ用対物レンズは、「光源側に凸面を向けたメニスカスレンズ」であることができる(請求項１５)。また、上記請求項１０または１２または１４記載の光ピックアップ用対物レンズは「光源側に強い曲率の面を向けた両凸レンズである」ことができる(請求項１６)。
【００３５】
請求項１７記載の光ピックアップは「使用波長：６５０±２０ｎｍで光照射側基板厚：０．１ｍｍの光記録媒体に対して情報の記録・再生・消去の１以上を行う無限系の光ピックアップ」であって、光源からの光束を光記録媒体の記録面上に光スポットとして集光させるための対物レンズとして、請求項１〜８の任意の１に記載の光ピックアップ用対物レンズを用いることを特徴とする。
【００３６】
請求項１８記載の光ピックアップは「使用波長：４０７±２０ｎｍで光照射側基板厚：０．１ｍｍの光記録媒体に対して情報の記録・再生・消去の１以上を行う無限系の光ピックアップ」であって、光源からの光束を光記録媒体の記録面上に光スポットとして集光させるための対物レンズとして、請求項９〜１６の任意の１に記載の光ピックアップ用対物レンズを用いることを特徴とする。
【００３７】
上記請求項１７または１８記載の光ピックアップは「波長変動に起因する色収差を補正するための色収差補正手段」を有することができる(請求項１９)。色収差補正手段は、「ダブレットレンズ」あるいは「光ピックアップ用対物レンズに設けられた樹脂コート」あるいは「光ピックアップ用対物レンズに設けられた回折面」等であることができる(請求項２０)。上記「波長変動」は、光源として用いられる半導体レーザの「規格発光波長に対する個別的なずれ」、「モードホッピングによる波長変動」を総称する。
【００３８】
上記請求項１７〜２０の任意の１に記載の光ピックアップはまた、基板厚誤差検出手段と、球面収差補正手段を有することができる(請求項２１)。  
「基板厚誤差検出手段」は、光記録媒体の光照射側基板の基板厚誤差を検出する。
【００３９】
「球面収差補正手段」は、基板厚誤差に起因する球面収差を、基板厚誤差検出手段が検出する基板厚誤差に基づいて補正する。
【００４０】
この請求項２１記載の光ピックアップにおいて、球面収差補正手段は「レンズ間隔可変の正・負レンズ」あるいは「同心円状の電極パターンを持つ液晶素子」等であることができる(請求項２２)。
【００４１】
請求項２３記載の光ピックアップは「記録面が多層に重畳され、光照射側基板厚：０．１ｍｍで、使用波長：６５０±２０ｎｍの光記録媒体に対して情報の記録・再生・消去の１以上を行う無限系の光ピックアップ」であって、球面収差検出手段と、球面収差補正手段とを有する。
【００４２】
「球面収差検出手段」は、光照射側基板面から任意の記録面までの間隔に応じて変化する球面収差を検出する手段である。  
「球面収差補正手段」は、上記球面収差検出手段により検出された球面収差を補正する手段である。
【００４３】
そして、光源からの光束を光記録媒体の所望の記録面上に光スポットとして集光させるための対物レンズとして、請求項１〜８の任意の１に記載の光ピックアップ用対物レンズが用いられる。
【００４４】
請求項２４記載の光ピックアップは「記録面が多層に重畳され、光照射側基板厚：０．１ｍｍで、使用波長：４０７±１０ｎｍの光記録媒体に対して情報の記録・再生・消去の１以上を行う無限系の光ピックアップ」であって、球面収差検出手段と、球面収差補正手段とを有する。
【００４５】
「球面収差検出手段」は、光照射側基板面から任意の記録面までの間隔に応じて変化する球面収差を検出する手段である。  
「球面収差補正手段」は、上記球面収差検出手段により検出された球面収差を補正する手段である。
【００４６】
そして、光源からの光束を光記録媒体の所望の記録面上に光スポットとして集光させるための対物レンズとして、請求項９〜１６の任意の１に記載の光ピックアップ用対物レンズが用いられる。
【００４７】
上記請求項２３または２４記載の光ピックアップは「波長変動に起因する色収差を補正するための色収差補正手段」を有することができる(請求項２５)。  
上記請求項１９〜２５の任意の１に記載の光ピックアップは「色収差補正手段と球面収差補正手段とを一体として」有することができる(請求項２６)。
【００４８】
この発明の光情報処理装置は「光記録媒体に対して、光ピックアップを用いて情報の記録・再生・消去の１以上を行う光情報処理装置」であって、光ピックアップとして、請求項１７〜２６の任意の１に記載のものを用いたことを特徴とする(請求項２７)。
【００４９】
上の説明において「光記録媒体の形態」は一般にディスク状である。光記録媒体の光照射側基板厚：０．１ｍｍは規格値であり、この規格値に基づいて「無限系の光ピックアップの光学系」が設計される。光ピックアップ用対物レンズは、この光学系の１部として設計される。実際に使用される光記録媒体における光照射側基板厚は一般に、上記規格値に対して誤差を有する。
【００５０】
また、請求項５、６における条件（９）〜（１２）、請求項１３、１４における条件（２１）〜（２４）は、開口数：ＮＡ＝９．５、実用的にはＮＡ＝１．０程度まで有効である。
【００５１】
上記条件（１）〜（２４）は、各請求項記載の光ピックアップ用対物レンズが「所定範囲の開口数と所望の性能」を実現するための条件であり、条件（１）の意味は条件（５）、（９）、（１３）、（１７）、（２１）の意味と同じであり、条件（２）の意味は条件（６）、（１０）、（１４）、（１８）、（２２）の意味と同じであり、条件（３）の意味は条件（７）、（１１）、（１５）、（１９）、（２３）の意味と同じであり、条件（４）の意味は条件（８）、（１２）、（１６）、（２０）、（２４）の意味と同じである。
【００５２】
無限系の光ピックアップ用対物レンズは、光源側から入射する平行光束を集光させる正レンズであり、この発明の光ピックアップ用対物レンズは、単レンズ構成で両面が非球面であるところから、レンズの形態としては両凸レンズ、メニスカスレンズが可能である。この場合、収差補正の観点から、両凸レンズの場合は「曲率の強い面を光源側に配する」のがよく(請求項８、１６)、メニスカスレンズの場合には「光源側に凸面を向ける」のが良い（請求項７、１５）。
【００５３】
波長：６５０±２０ｎｍおよび波長：４０７±１０ｎｍの使用波長で、光照射側基板厚：０．０１ｍｍの基板を介して、記録面に光スポットを「所望のスポット径」で形成するに際し、「良好な光スポットを形成するために許容される波面収差の上限値」を０．０１λ（λ：波長）とした。
【００５４】
請求項７、１５記載の光ピックアップ用対物レンズのように「凸面を光源側に向けたメニスカスレンズ」として形成される場合には、上記条件（１）、（２）、（５）、（６）、（９）、（１０）、（１３）、（１４）、（１７）、（１８）、（２１）、（２２）を満足しないと、所要の開口数を実現しつつ、波面収差：０．０１λ以下を実現することができない。
【００５５】
請求項８、１６記載の光ピックアップ用対物レンズのように「光源側に曲率の強い面を向けた両凸レンズ」として形成される場合には、上記条件（１）、（２）、（５）、（６）、（９）、（１０）、（１３）、（１４）、（１７）、（１８）、（２１）、（２２）に加えて、条件（３）、（４）、（７）、（８）、（１１）、（１２）、（１５）、（１６）、（１９）、（２０）、（２３）、（２４）を満足することが好ましい。これら条件（３）、（４）、・・（２３）、（２４）はまた、光源側に凸面を向けたメニスカスレンズの場合にも満足することが好ましい。
【００５６】
例として、請求項１、９記載の光ピックアップ用対物レンズでの条件（１）、（１３）を見ると、これらは同じ条件である。条件（１）、（１３）は、光ピックアップ用対物レンズの光源側の近軸曲率半径：Ｒ１と、レンズ材質のｄ線に対する屈折率：ｎｄと、焦点距離：ｆの関係を規定している。
【００５７】
請求項１、２記載の光ピックアップ用対物レンズを例に取ると、この対物レンズでは、開口数：ＮＡは０．６５≦ＮＡ＜０．７５である。そこで、開口数：ＮＡ＝０．６５を実現する場合を考え、そのためのパラメータとして、上記Ｒ１とｎｄを考える。
【００５８】
光ピックアップ用対物レンズの光源側の面が「光源側に凸」であるとすると、近軸曲率半径：Ｒ１が大きくなることは、この面における正の屈折力が小さくなることを意味する。この発明では、光ピックアップ用対物レンズの開口数を大きくすることを課題としているが、開口数を大きくするにはレンズにおける正の屈折力を大きくしなければならない。したがって、上記の如く近軸曲率半径：Ｒ１を大きくしてなおかつ開口数を大きくしようとすれば、レンズ材質の屈折率を大きくしなければならず、「レンズ材質の屈折率：ｎｄは、近軸曲率半径：Ｒ１の増大に伴って増大する」関係にある。
【００５９】
前述した「波面収差：０．０１λ以下」を達成できるという条件のもとで、近軸曲率半径：Ｒ１と屈折率：ｎｄとが満足する関係を、「曲率の強い面を光源側に向けた両凸レンズ」として形成される光ピックアップ用対物レンズの有効径：φ＝３ｍｍ、開口数：ＮＡ＝０．６５のもとで求めて見ると、図２０おける黒丸のようになる。即ち、黒丸は直線１４−１上に位置する。このことから、近軸曲率半径：Ｒ１と屈折率：ｎｄは１次の比例関係にあることが分かる。
【００６０】
一方、開口数：ＮＡと焦点距離：ｆとの間には関係：ｆ＝(φ/２)/ＮＡが成り立つ。φ＝３ｍｍ、ＮＡ＝０．６５であるから、ｆ＝２．３１ｍｍとなる。この焦点距離の値を用い、図２０における直線１４−１の式を、パラメータ：Ｒ１／ｆとｎｄとを変数として求めてみると、
Ｒ１/ｆ＝１．３ｎｄ−１．２
となる。Ｒ１とｎｄとｆとの関係がこの式から外れると、光源側や光記録媒体側のレンズ面の非球面形状、レンズの厚みや材質を調整しても、開口数：０．６５で波面収差：０．０１λ以下を達成することができない。
【００６１】
上に説明したところを、開口数：ＮＡ＝０．７５、波面収差：０．０１λ以下として行ってみると、近軸曲率半径；Ｒ１と屈折率：ｎｄの関係は、図２０における黒三角の配列する直線１４−２のようになり、この直線１４−２の式を、パラメータ：Ｒ１／ｆとｎｄとを変数として求めてみると、
Ｒ１/ｆ＝１．２ｎｄ−１．１
となる。Ｒ１とｎｄとｆとの関係がこの式から外れると、光源側や光記録媒体側のレンズ面の非球面形状、レンズの厚みや材質を調整しても、開口数：０．７５で波面収差：０．０１λ以下を達成することができない。
【００６２】
同様に、開口数：ＮＡ＝０．８５、波面収差：０．０１λ以下としてみると、近軸曲率半径；Ｒ１と屈折率：ｎｄの関係は、図２０における白い四角の配列する直線１４−３のようになり、この直線１４−３の式を、パラメータ：Ｒ１／ｆとｎｄとを変数として求めてみると、
Ｒ１/ｆ＝１．０ｎｄ−０．７
となる。Ｒ１とｎｄとｆとの関係がこの式から外れると、光源側や光記録媒体側のレンズ面の非球面形状、レンズの厚みや材質を調整しても、開口数：０．８５で波面収差：０．０１λ以下を達成することができない。
【００６３】
このことから、Ｒ１とｎｄとの関係を表す直線は、開口数：ＮＡが大きくなるほど、勾配が緩くなることがわかる。
【００６４】
したがって、波面収差：０．０１λ以下で、開口数：ＮＡが０．６５≦ＮＡ＜０．７５の範囲にある光ピックアップ用対物レンズにおいては、パラメータ：Ｒ１／ｆとｎｄとは、使用波長が６６０±２０ｎｍであるか４０７±１０ｎｍであるかに関わらず条件（１）、（１３）を満足しなければならない。
【００６５】
同様に、波面収差：０．０１λ以下で、開口数：ＮＡが０．７５≦ＮＡ＜０．８５の範囲にある光ピックアップ用対物レンズにおいては、パラメータ：Ｒ１／ｆとｎｄとは、使用波長が６６０±２０ｎｍであるか４０７±１０ｎｍであるかに関わらず条件（５）、（１７）を満足しなければならず、波面収差：０．０１λ以下で、開口数：ＮＡが０．８５≦ＮＡの範囲にある光ピックアップ用対物レンズにおいては、パラメータ：Ｒ１／ｆとｎｄとは、使用波長が６６０±２０ｎｍであるか４０７±１０ｎｍであるかに関わらず条件（９）、（２１）を満足しなければならない。
【００６６】
次ぎに、この発明の光ピックアップ用対物レンズは、光ピックアップの信頼性を高めるために必要なワーキングディスタンス：ＷＤを確保するものである。  
ワーキングディスタンス：ＷＤを大きくするには、バックフォーカスを大きくすればよく、そのためには光ピックアップ用対物レンズの屈折率を小さくして屈折力を小さくすれば良いが、これは開口数の減少につながる。したがって、所要の開口数を確保しつつ所要のワーキングディスタンスを確保するには、開口数と屈折率とをバランスさせねばならない。
【００６７】
所要の開口数を上記０．６５、０．７５、０．８５とし、これらの開口数を実現でき、なおかつ、波面収差を０．０１λ以下に抑える条件のもとで許容されるワーキングディスタンス：ＷＤとレンズ材質の屈折率：ｎｄとの関係を、「曲率の強い面を光源側に向けた両凸レンズ」として形成される光ピックアップ用対物レンズの有効系：φ＝３ｍｍとして調べて見ると、図２１の如くなる。図２１における黒丸の配列による直線１５−１は開口数：０．６５に関するものであり、黒三角の配列による直線１５−２は開口数：０．７５、白い四角の配列による直線１５−３は開口数：０．８５に関するものである。
【００６８】
これら直線１５−１〜１５−３を、パラメータ：ＷＤ／ｆとｎｄとを変数として求めてみると、
開口数：ＮＡ＝０．６５に対する直線１５−１は、
ＷＤ/ｆ＝０．３９ｎｄ−０．０４
となり、ＷＤとｎｄとｆとの関係がこの式から外れると、光源側や光記録媒体側のレンズ面の非球面形状、レンズの厚みや材質を調整しても、開口数：０．６５で波面収差：０．０１λ以下を達成することができない。
【００６９】
開口数：ＮＡ＝０．７５に対する直線１５−２は、
ＷＤ/ｆ＝０．３７ｎｄ−０．１４
となり、ＷＤとｎｄとｆとの関係がこの式から外れると、光源側や光記録媒体側のレンズ面の非球面形状、レンズの厚みや材質を調整しても、開口数：０．７５で波面収差：０．０１λ以下を達成することができない。
【００７０】
開口数：ＮＡ＝０．８５に対する直線１５−３は、
ＷＤ/ｆ＝０．３３ｎｄ−０．１８
となる。ＷＤとｎｄとｆとの関係がこの式から外れると、光源側や光記録媒体側のレンズ面の非球面形状、レンズの厚みや材質を調整しても、開口数：０．８５で波面収差：０．０１λ以下を達成することができない。
【００７１】
このことから、ＷＤとｎｄとの関係を表す直線は、開口数：ＮＡが大きくなるほど、勾配が緩くなることがわかる。
【００７２】
したがって、波面収差：０．０１λ以下で、開口数：ＮＡが０．６５≦ＮＡ＜０．７５の範囲にある光ピックアップ用対物レンズにおいては、パラメータ：ＷＤ／ｆとｎｄとは、使用波長が６６０±２０ｎｍであるか４０７±１０ｎｍであるかに関わらず条件（２）、（１４）を満足しなければならない。
【００７３】
同様に、波面収差：０．０１λ以下で、開口数：ＮＡが０．７５≦ＮＡ＜０．８５の範囲にある光ピックアップ用対物レンズにおいては、パラメータ：ＷＤ／ｆとｎｄとは、使用波長が６６０±２０ｎｍであるか４０７±１０ｎｍであるかに関わらず条件（６）、（１８）を満足しなければならず、波面収差：０．０１λ以下で、開口数：ＮＡが０．８５≦ＮＡの範囲にある光ピックアップ用対物レンズにおいては、パラメータ：ＷＤ／ｆとｎｄとは、使用波長が６６０±２０ｎｍであるか４０７±１０ｎｍであるかに関わらず条件（１０）、（２２）を満足しなければならない。
【００７４】
次ぎに、「光源側に強い曲率を向けた両凸レンズ」として形成された光ピックアップ用対物レンズにおいて、上記各条件（１）、（２）、（５）、（６）、（９）、（１０）、（１３）、（１４）、（１７）、（１８）、（２１）、（２２）が満足された状態において、所要の開口数を実現し、波面収差：０．０λ以下を実現するために許容されるレンズ材料を、屈折率：ｎｄとアッベ数：νｄとで表して見ると図２２の如くになる。
【００７５】
図２２（ａ）〜（ｃ）は使用波長：６５０ｎｍの場合であり、開口数：ＮＡは（ａ）において０．６５、（ｂ）において０．７５、（ｃ）において０．８５である。また、図２２（ｄ）〜（ｆ）は使用波長：４０７ｎｍの場合であり、開口数：ＮＡは（ｄ）において０．６５、（ｅ）において０．７５、（ｆ）において０．８５である。
【００７６】
これらの図で「黒丸で示す屈折率・アッベ数の組合せ」を持つレンズ材料が許容されるものである。一般的傾向として、開口数が大きくなるほど、屈折率・アッベ数に許容される範囲が狭まり、この傾向は使用波長：４０７ｎｍにおいて顕著である。
【００７７】
条件（３）、（４）、（１５）、（１６）は、図２２（ａ）、（ｄ）における屈折率・アッベ数の許容範囲を規定したものであり、条件（７）、（８）、（１９）、（２０）は、図２２（ｂ）、（ｅ）における屈折率・アッベ数の許容範囲を規定したものであり、条件（１１）、（１２）、（２３）、（２４）は、図２２の（ｃ）、（ｆ）における屈折率・アッベ数の許容範囲を規定したものである。
【００７８】
光ピックアップ用対物レンズを「曲率の強い面を光源側に向けた両凸レンズ」として構成する場合、屈折率：ｎｄに対する条件（４）、（８）、（１２）、（１６）、（２０）、（２４）が満足されない場合、対物レンズの屈折率が小さすぎ、所望のＮＡを実現する場合、特に光源側のレンズ面の曲率を大きくせざるを得ず、対物レンズ面を高精度に形成するのが困難になり、対物レンズとしてのコストも高くなってしまう。
【００７９】
また、アッベ数：νｄに対する条件（３）、（７）、（１１）、（１５）、（１９）、（２３）が満足されないと、光源における波長の変動による色収差が大きくなりすぎてしまう。これらアッベ数：νｄ、屈折率：ｎｄに関する条件は、特に、光ピックアップ用対物レンズが「光源側に曲率の強い面を向けた両凸レンズ」である場合に満足することが望ましい。
【００８０】
上には、光ピックアップ用対物レンズが「曲率の強い面を光源側に向けた両凸レンズ」である場合につき説明したが、後記実施例に示すように、光ピックアップ用対物レンズを「凸面を光源側に向けたメニスカスレンズ」として形成する場合にも、開口数：ＮＡに応じて、条件（１）、（２）、（５）、（６）、（９）、（１０）、（１３）、（１４）、（１７）、（１８）、（２１）、（２２）を満足することにより、波面収差：０．０１λ以下の良好な性能を実現できる。
【００８１】
上記メニスカスレンズでは、光記録媒体側の面が凹面と成るため、両凸レンズの場合に比してレンズ面による屈折力は弱くなるので、これを補うためには材質の屈折率を高めるのがよい。また、光源側の面と光記録媒体側の面での色収差の発生の向きが逆になるので、アッベ数の小さい分散の大きい材料を利用できる。即ち、メニスカス形状の光ピックアップ用対物レンズでは、両凸レンズ形状のものに比して「高屈折率・低アッベ数の組合せ」の材質を用いることができる。
【００８２】
しかし、「凸面を光源側に向けたメニスカスレンズ」による光ピックアップ用対物レンズの場合にも、上記条件（３）、（７）、（１１）、（１５）、（１９）、（２３）を満足することにより、レンズ面形状等、レンズ形状に対する条件が緩和されるので、これら条件を満足することが好ましい。
【００８３】
このようにして、請求項１〜１６において、各条件を満足することにより、所要範囲の開口数を持ち、波面収差が０．０１λ以下となる光ピックアップ用対物レンズを実現することが可能である。
【発明の効果】
【００８４】
以上に説明したように、この発明によれば新規な光ピックアップ用対物レンズ、光ピックアップおよび光情報処理装置を実現できる。この発明の光ピックアップ用対物レンズは、単レンズ構成であるから、部品点数の増加、重量の増加、組付精度の高精度化という問題が無く、しかも、従来の１枚構成の対物レンズが達成できなかった６．５以上の開口数を有し、使用波長：６５０±２０ｎｍ、４０７±１０ｎｍという波長の短さと相俟って、小径の光スポットを良好に形成することができる。
【００８５】
したがって、このような光ピックアップ用対物レンズを用いる光ピックアップは、高密度の情報処理に対応可能である。また、色収差補正や球面収差補正の機能を持つことにより、波長変動や基板厚誤差に対しても対応できる。
【００８６】
したがって、このような光ピックアップを用いる光情報処理装置は、上記使用波長の光記録媒体に対して良好に情報の記録や再生、消去を行うことができる。
【発明を実施するための最良の形態】
【００８７】
以下に、光ピックアップ用対物レンズの具体的な実施例を挙げる。  
煩雑を避けるため、図１〜図１２における各（ａ）図において符号を共通化し、符号１は「アパーチュア」、符号２は「光ピックアップ用対物レンズ」、符号３は「光記録媒体の光照射側基板（厚さ：０．１ｍｍ）」を表すものとする。
【００８８】
光源側（図１〜図１２の各（ａ）図の左側）からのレーザ光束は「平行光束」としてアパーチュア１の開口（開口径：φ＝３ｍｍ）を通過し、光ピックアップ用対物レンズ２に入射し、同レンズ２により集光光束とされ、光記録媒体の光照射側基板３を透過して記録面（光照射側基板３の右側面に合致）に光スポットを形成する。
【実施例】
【００８９】
以下、具体的な実施例を１２例挙げる。  
奇数番号の実施例、即ち、実施例１、３、５、７、９、１１は、光ピックアップ用対物レンズを「光源側に凸面を向けたメニスカスレンズ」とした場合の実施例であり、偶数番号の実施例、即ち、実施例２、４、６、８、１０、１２は、光ピックアップ用対物レンズを「曲率の強い面を光源側に向けた両凸レンズ」とした場合の実施例である。
【００９０】
各実施例において、開口数をＮＡ、焦点距離をｆ、レンズ材質のｄ線に対する屈折率及びアッベ数をｎｄおよびνｄで表す。
【００９１】
また、レンズ面の非球面形状は、光軸方向の座標：Ｘ、光軸直交方向の座標：Ｙ、近軸曲率半径：Ｒ、円錐定数：Ｋ、高次の係数：Ａ，Ｂ，Ｃ，Ｄ，Ｅ，Ｆ，・・を用いて、周知の非球面式：
Ｘ＝（Ｙ２／Ｒ）／［１＋√｛１−（１＋Ｋ）(Ｙ／Ｒ)２｝＋ＡＹ４＋ＢＹ６
＋ＣＹ８＋ＤＹ10＋ＥＹ12＋ＦＹ14＋ＧＹ16＋ＨＹ18＋ＪＹ20＋・・
で表し、Ｒ、Ｋ、Ａ、Ｂ、Ｃ、Ｄ、・・を与えて形状を特定する。
【００９２】
実施例１
実施例１の光ピックアップ用対物レンズは、請求項１、２、７記載のものの具体例であり、使用波長：６５０ｎｍである。
【００９３】
ＮＡ：０．６５、ｆ：２．３１ｍｍ、ｎｄ＝１．７４３３０、νｄ＝４９．３６  
表１に、具体的データを示す。
【００９４】
【表１】
2007080505.tif 000003
【００９５】
表中の記号は、以下の通りである。
【００９６】
「ＯＢＪ」は物点（光源としての半導体レーザ）を意味するが、光ピックアップ用対物レンズは「無限系」であり、曲率半径：ＲＤＹ及び厚さ：ＴＨＩの「ＩＮＦＩＮＩＴＹ（無限大）」は光源が無限遠にあることを意味する。また「ＳＴＯ」はアパーチュア１の面であり、その曲率半径は「ＩＮＦＩＮＩＴＹ」で、厚さは設計上「０」としている。また、特に断らない限り、長さの次元を持つ量の単位は「ｍｍ」である。
【００９７】
「Ｓ１」は光ピックアップ用対物レンズの「光源側面」、「Ｓ２」は「光記録媒体側面」を意味する。実施例１におけるレンズの肉厚は２．００００ｍｍであり、Ｓ２の欄の「曲率半径の右側」に記載された厚さ：０．８３１２２３ｍｍは「ワーキングディスタンス」を示す。
【００９８】
「Ｓ３」は光記録媒体の光照射側基板３の光源側面、「Ｓ４」は同記録面に合致した面であり、これらの面Ｓ３，Ｓ４の間隔、即ち、光照射側基板厚は０．１ｍｍ、材質：ＰＣは屈折率：ｎ＝１．５８のポリカーボネートである。「ＥＰＤ：入射瞳径」はアパーチュア１の開口径（３ｍｍ）を表し、「ＷＬ：波長」は使用波長（６５０ｎｍ）を表す。
【００９９】
なお、非球面係数の表示において、例えば「Ｄ：−．６２５２３０Ｅ−０４」とあるのは、「Ｄ＝−０．６２５２３０×１０−４」を意味する。他の実施例の表示においても同様である。
【０１００】
図１（ａ）に、実施例１に関するアパーチュア１、光ピックアップ用対物レンズ２、光照射側基板３の配置状態を示す。  
図１（ｂ）、（ｃ）には、実施例１の光ピックアップ用対物レンズの非点収差、球面収差（縦軸の目盛は入射瞳半径を１に規格化した値である）を示す。両収差とも極めて良好に補正されている。勿論「波面収差」は０．０１λ以下である。
【０１０１】
上記のように、実施例１で、Ｒ１＝１．６８３７６ｍｍ、ｆ＝２．３１ｍｍ、ｎｄ＝１．７４３３０、アッベ数：νｄ＝４９．３６、ワーキングディスタンス＝０．８３１２２３ｍｍであるので、上記Ｒ１，ｆ、ｎｄは、請求項１における条件（１）および（２）の範囲内にあり、屈折率・アッベ数はともに条件（３）、（４）の範囲内にある。
【０１０２】
実施例２
実施例２の光ピックアップ用対物レンズは、請求項２、８記載のものの具体例であり、使用波長：６５０ｎｍである。
【０１０３】
ＮＡ：０．６５、ｆ：２．３１ｍｍ、ｎｄ＝１．５８３１３、νｄ＝５９．４６  
表２に、具体的データを表１に倣って示す。
【０１０４】
【表２】
2007080505.tif 000004
【０１０５】
図２（ａ）に、実施例２に関するアパーチュア１、光ピックアップ用対物レンズ２、光照射側基板３の配置状態を示す。
【０１０６】
図２（ｂ）、（ｃ）には、実施例２の光ピックアップ用対物レンズの非点収差、球面収差（縦軸の目盛は入射瞳半径を１に規格化した値である）を示す。両収差とも極めて良好に補正されている。勿論「波面収差」は０．０１λ以下である。
【０１０７】
上記のように、実施例１で、Ｒ１＝１．４７６１１ｍｍ、ｆ＝２．３１ｍｍ、ｎｄ＝１．５８３１３、アッベ数：νｄ＝５９．４６、ワーキングディスタンス＝１．０９６０２４ｍｍであるので、上記Ｒ１，ｆ、ｎｄは、請求項１における条件（１）および（２）について等号を満足し、屈折率・アッベ数はともに条件（３）、（４）の範囲内にある。
【０１０８】
実施例３
実施例３の光ピックアップ用対物レンズは、請求項３、４、７載のものの具体例であり、使用波長：６５０ｎｍである。
【０１０９】
ＮＡ：０．７５、ｆ：２．００ｍｍ、ｎｄ＝１．７４３３０、νｄ＝４９．３６
表３に具体的データを、表１に倣って示す。
【０１１０】
【表３】
2007080505.tif 000005
【０１１１】
図３（ａ）に、実施例３に関するアパーチュア１、光ピックアップ用対物レンズ２、光照射側基板３の配置状態を示す。
【０１１２】
図３（ｂ）、（ｃ）に、実施例３の光ピックアップ用対物レンズの非点収差、球面収差を示す。両収差とも極めて良好に補正されている。勿論「波面収差」は０．０１λ以下である。
【０１１３】
実施例３で、Ｒ１＝１．４５４０７ｍｍ、ｆ＝２．００ｍｍ、ｎｄ＝１．７４３３０、アッベ数：νｄ＝４９．３６、ワーキングディスタンス＝０．５８５２０６ｍｍであるので、上記Ｒ１，ｆ、ｎｄは、請求項３における条件（５）および（６）の範囲内にあり、屈折率・アッベ数はともに条件（７）、（８）の範囲内にある。
【０１１４】
実施例４
実施例４の光ピックアップ用対物レンズは、請求項４、８載のものの具体例であり、使用波長：６５０ｎｍである。
【０１１５】
ＮＡ：０．７５、ｆ：２．００ｍｍ、ｎｄ＝１．６９３３０、νｄ＝５３.１７  
表４に具体的データを、表１に倣って示す。
【０１１６】
【表４】
2007080505.tif 000006
【０１１７】
図４（ａ）に、実施例４に関するアパーチュア１、光ピックアップ用対物レンズ２、光照射側基板３の配置状態を示す。
【０１１８】
図４（ｂ）、（ｃ）に、実施例４の光ピックアップ用対物レンズの非点収差、球面収差を示す。両収差とも極めて良好に補正されている。勿論「波面収差」は０．０１λ以下である。
【０１１９】
実施例４で、Ｒ１＝１．５０１５３ｍｍ、ｆ＝２．００ｍｍ、ｎｄ＝１．６９３３０、アッベ数：νｄ＝５３．１７、ワーキングディスタンス＝０．８４９１６８ｍｍであるので、上記Ｒ１，ｆ、ｎｄは、請求項４における条件（５）および（６）の等号を満足し、屈折率・アッベ数はともに条件（７）、（８）の範囲内にある。
【０１２０】
実施例５
実施例３の光ピックアップ用対物レンズは、請求項５、６、７記載のものの具体例であり、使用波長：６５０ｎｍである。
【０１２１】
ＮＡ：０．８５、ｆ：１．７６ｍｍ、ｎｄ＝１．７４３３０、νｄ＝４９．３６
表５に具体的データを、表１に倣って示す。
【０１２２】
【表５】
2007080505.tif 000007
【０１２３】
図５（ａ）に、実施例５に関するアパーチュア１、光ピックアップ用対物レンズ２、光照射側基板３の配置状態を示す。
【０１２４】
図５（ｂ）、（ｃ）に、実施例５の光ピックアップ用対物レンズの非点収差、球面収差を示す。両収差とも極めて良好に補正されている。勿論「波面収差」は０．０１λ以下である。
【０１２５】
実施例５で、Ｒ１＝１．２９９７ｍｍ、ｆ＝１．７６ｍｍ、ｎｄ＝１．７４３３０、アッベ数：νｄ＝４９．３６、ワーキングディスタンス＝０．４６５２９４ｍｍであるので、上記Ｒ１，ｆ、ｎｄは、請求項５における条件（９）および（１０）にの範囲内にあり、屈折率・アッベ数はともに条件（１１）、（１２）の範囲内にある。
【０１２６】
実施例６
実施例６の光ピックアップ用対物レンズは、請求項６、８載のものの具体例であり、使用波長：６５０ｎｍである。
【０１２７】
ＮＡ：０．８５、ｆ：１．７６ｍｍ、ｎｄ＝１．６９３３０、νｄ＝５３．１７
表６に具体的データを、表１に倣って示す。
【０１２８】
【表６】
2007080505.tif 000008
【０１２９】
図６（ａ）に、実施例６に関するアパーチュア１、光ピックアップ用対物レンズ２、光照射側基板３の配置状態を示す。
【０１３０】
図６（ｂ）、（ｃ）に、実施例６の光ピックアップ用対物レンズの非点収差、球面収差を示す。両収差とも極めて良好に補正されている。勿論「波面収差」は０．０１λ以下である。
【０１３１】
実施例６で、Ｒ１＝１．２９７７ｍｍ、ｆ＝１．７６ｍｍ、ｎｄ＝１．６９３３０、アッベ数：νｄ＝５３．１７、ワーキングディスタンス＝０．５９１０５２ｍｍであるので、上記Ｒ１，ｆ、ｎｄは、請求項５、６における条件（９）および（１０）について等号を満足し、屈折率・アッベ数はともに条件（１１）、（１２）の範囲内にある。
【０１３２】
実施例７
実施例７の光ピックアップ用対物レンズは、請求項９、１０、１５載のものの具体例であり、使用波長：４０７ｎｍである。
【０１３３】
ＮＡ：０．６５、ｆ：２．３１ｍｍ、ｎｄ＝１．７４３３０、νｄ＝４９．３６  
表７に具体的データを、表１に倣って示す。
【０１３４】
【表７】
2007080505.tif 000009
【０１３５】
図７（ａ）に、実施例７に関するアパーチュア１、光ピックアップ用対物レンズ２、光照射側基板３の配置状態を示す。
【０１３６】
図７（ｂ）、（ｃ）に、実施例７の光ピックアップ用対物レンズの非点収差、球面収差を示す。両収差とも極めて良好に補正されている。勿論「波面収差」は０．０１λ以下である。
【０１３７】
実施例７においては、Ｒ１＝１．７１８２２ｍｍ、ｆ＝２．３１ｍｍ、ｎｄ＝１．７４３３０、アッベ数：νｄ＝４９．３６、ワーキングディスタンス＝０．８３１２２３ｍｍであるので、上記Ｒ１，ｆ、ｎｄは、請求項９における条件（１３）および（１４）の範囲内にあり、屈折率・アッベ数はともに条件（１５）、（１６）の範囲内にある。
【０１３８】
実施例８
実施例８の光ピックアップ用対物レンズは、請求項１０、１６記載のものの具体例であり、使用波長：４０７ｎｍである。
【０１３９】
ＮＡ：０．６５、ｆ：２．３１ｍｍ、ｎｄ＝１．５８３１３、νｄ＝５９.４６  
表８に具体的データを、表１に倣って示す。
【０１４０】
【表８】
2007080505.tif 000010
【０１４１】
図８（ａ）に、実施例８に関するアパーチュア１、光ピックアップ用対物レンズ２、光照射側基板３の配置状態を示す。
【０１４２】
図８（ｂ）、（ｃ）に、実施例８の光ピックアップ用対物レンズの非点収差、球面収差を示す。両収差とも極めて良好に補正されている。勿論「波面収差」は０．０１λ以下である。
【０１４３】
実施例８においては、Ｒ１＝１．５２９３８ｍｍ、ｆ＝２．３１ｍｍ、ｎｄ＝１．５８３１３、アッベ数：νｄ＝５９．４６、ワーキングディスタンス＝１．１１５０８１ｍｍであるので、上記Ｒ１，ｆ、ｎｄは、請求項１０における条件（１３）および（１４）について等号を満足し、屈折率・アッベ数はともに条件（１５）、（１６）の範囲内にある。
【０１４４】
実施例９
実施例９の光ピックアップ用対物レンズは、請求項１１、１２、１５載のものの具体例であり、使用波長：４０７ｎｍである。
【０１４５】
ＮＡ：０．７５、ｆ：２．００ｍｍ、ｎｄ＝１．７４３３０、νｄ＝４９．３６
表９に具体的データを、表１に倣って示す。
【０１４６】
【表９】
2007080505.tif 000011
【０１４７】
図９（ａ）に、実施例９に関するアパーチュア１、光ピックアップ用対物レンズ２、光照射側基板３の配置状態を示す。
【０１４８】
図９（ｂ）、（ｃ）に、実施例９の光ピックアップ用対物レンズの非点収差、球面収差を示す。両収差とも極めて良好に補正されている。勿論「波面収差」は０．０１λ以下である。
【０１４９】
実施例９で、Ｒ１＝１．４８０１１ｍｍ、ｆ＝２．００ｍｍ、ｎｄ＝１．７４３３０、アッベ数：νｄ＝４９．３６、ワーキングディスタンス＝０．５８３０６８ｍｍであるので、上記Ｒ１，ｆ、ｎｄは、請求項１１における条件（１７）および（１８）の範囲内にあり、屈折率・アッベ数はともに条件（１９）、（２０）の範囲内にある。
【０１５０】
実施例１０
実施例１０の光ピックアップ用対物レンズは、請求項１２、１６記載のものの具体例であり、使用波長：４０７ｎｍである。
【０１５１】
ＮＡ：０．７５、ｆ：２．００ｍｍ、ｎｄ＝１．６９３３０、νｄ＝５３．１７
表１０に具体的データを、表１に倣って示す。
【０１５２】
【表１０】
2007080505.tif 000012
【０１５３】
図１０（ａ）に、実施例１０に関するアパーチュア１、光ピックアップ用対物レンズ２、光照射側基板３の配置状態を示す。
【０１５４】
図１０（ｂ）、（ｃ）に、実施例１０の光ピックアップ用対物レンズの非点収差、球面収差を示す。両収差とも極めて良好に補正されている。勿論「波面収差」は０．０１λ以下である。
【０１５５】
実施例１０で、Ｒ１＝１．５６８１３ｍｍ、ｆ＝２．００ｍｍ、ｎｄ＝１．６９３３０、アッベ数：νｄ＝５３．１７、ワーキングディスタンス＝０．８７４６６６ｍｍであるので、上記Ｒ１，ｆ、ｎｄは、請求項１２における条件（１７）および（１８）について等号を満足し、屈折率・アッベ数はともに条件（１９）、（２０）の範囲内にある。
【０１５６】
実施例１１
実施例１１の光ピックアップ用対物レンズは、請求項１３、１５記載のものの具体例であり、使用波長：４０７ｎｍである。
【０１５７】
ＮＡ：０．８５、ｆ：１．７６ｍｍ、ｎｄ＝１．７４３３０、νｄ＝４９．３６
表１１に具体的データを、表１に倣って示す。
【０１５８】
【表１１】
2007080505.tif 000013
【０１５９】
図１１（ａ）に、実施例１１に関するアパーチュア１、光ピックアップ用対物レンズ２、光照射側基板３の配置状態を示す。
【０１６０】
図１１（ｂ）、（ｃ）に、実施例１１の光ピックアップ用対物レンズの非点収差、球面収差を示す。両収差とも極めて良好に補正されている。勿論「波面収差」は０．０１λ以下である。
【０１６１】
実施例１１で、Ｒ１＝１．３３３８６ｍｍ、ｆ＝１．７６ｍｍ、ｎｄ＝１．７４３３０、アッベ数：νｄ＝４９．３６、ワーキングディスタンス＝０．４６８０３４ｍｍであり、上記Ｒ１，ｆ、ｎｄは、請求項１３における条件（２１）および（２２）の範囲内にある。アッベ数は条件（２３）の範囲内にあるが、屈折率：ｎｄは、条件（２４）の範囲外にあり、条件（２４）の上限よりも高い。
【０１６２】
このように、実施例１１では、レンズ形態がメニスカスレンズであることにより、波面収差：０．０１λ以下で良好な性能であるにも関わらず、屈折率については、条件（２４）の上限よりも高い材質の使用が可能となっている。
【０１６３】
実施例１２
実施例１２の光ピックアップ用対物レンズは、請求項１４、１６記載のものの具体例であり、使用波長：４０７ｎｍである。
【０１６４】
ＮＡ：０．８５、ｆ：１．７６ｍｍ、ｎｄ＝１．６９３３０、νｄ＝５３．１７  
表１２に具体的データを、表１に倣って示す。
【０１６５】
【表１２】
2007080505.tif 000014
【０１６６】
図１２（ａ）に、実施例１２に関するアパーチュア１、光ピックアップ用対物レンズ２、光照射側基板３の配置状態を示す。
【０１６７】
図１２（ｂ）、（ｃ）に、実施例１２の光ピックアップ用対物レンズの非点収差、球面収差を示す。両収差とも極めて良好に補正されている。勿論「波面収差」は０．０１λ以下である。
【０１６８】
実施例１２で、Ｒ１＝１．３５３０５ｍｍ、ｆ＝１．７６ｍｍ、ｎｄ＝１．６９３３０、アッベ数：νｄ＝５３．１７、ワーキングディスタンス＝０．６１５２４４ｍｍであるので、上記Ｒ１，ｆ、ｎｄは、請求項１３における条件（２１）および（２２）について等号を満足し、屈折率・アッベ数はともに条件（２３）、（２４）の範囲内にある。
【０１６９】
上記実施例１〜６はそれぞれ、請求項１〜８記載の光ピックアップ用対物レンズの実施例であるが、これら各実施例における光ピックアップ用対物レンズは、実施例１、３、５において「光源側に凸面を向けたメニスカスレンズ」であり（請求項７）、実施例２、４、６において「光源側に強い曲率の面を向けた両凸レンズ」である（請求項８）。
【０１７０】
また、上記実施例７〜１２はそれぞれ、請求項９〜１６記載の光ピックアップ用対物レンズの実施例であるが、これら各実施例における光ピックアップ用対物レンズは、実施例７、９、１１において「光源側に凸面を向けたメニスカスレンズ」であり（請求項１５）、実施例８、１０、１２において「光源側に強い曲率の面を向けた両凸レンズ」である（請求項１６）。
【０１７１】
以下「光ピックアップの実施の形態」を説明する。  
図１３は「波長変動に起因する色収差を補正するための色収差補正手段」を有する光ピックアップの実施の１形態を示している。  
図１３の光ピックアップの要部は、半導体レーザ４、コリメートレンズ５、偏光ビームスプリッタ６、偏向ミラー７、１／４波長板９と、光ピックアップ用対物レンズ１０（以下、単に対物レンズ１０と呼ぶ）と、検出レンズ１２、受光素子１３および色収差補正手段１４により構成されている。
【０１７２】
半導体レーザ４から放射されたレーザ光束はコリメートレンズ５により実質的な平行光束に変換され、偏光ビームスプリッタ６を透過し、偏向ミラー７により光路を９０度折り曲げられ、色収差補正手段１４、対物レンズ１０を介して集光光束に変換され、光照射側基板厚：０．１ｍｍの光記録媒体１１に照射され、光照射側基板を透過して記録面上に光スポットを形成する。
【０１７３】
対物レンズ１０の前段には１／４波長板９が配置され、光源側からの直線偏光を円偏光に変換する。光記録媒体１１により反射された光束は「戻り光束」となって、照射時の光路を逆進し、対物レンズ１０、１／４波長板９、偏向ミラー７を通って偏光ビームスプリッタ６に入射する。
【０１７４】
１／４波長板９に入射する戻り光束は「往路とは逆周りの円偏光」であり、１／４波長板９を透過することにより、往路の偏光方向に直交する直線偏光となり、偏光ビームスプリッタ６で反射される。偏光ビームスプリッタ６で反射された戻り光束は、検出レンズ１２を介して受光素子１３に入射する。
【０１７５】
受光素子１３は「サーボ信号の生成方法に従って適宜に分割された受光面」を有する。各受光面からの光電出力に基づき、トラッキング信号・フォーカシング信号が生成され、情報の再生時にはこれら信号と共に再生信号が生成される。これら信号は図示されない制御回路に向けて出力される。
【０１７６】
半導体レーザ４としては、発光波長：６５０ｎｍ±２０ｎｍのもの、あるいは発光波長：４０７±１０ｎｍのものが用いられ、対物レンズ１０には、発光波長と開口効率に応じ、請求項１〜８記載の何れかに記載の対物レンズ、あるいは請求項９〜１６の何れかに記載のものが用いられる。
【０１７７】
半導体レーザ４の発光波長が規格波長からずれていたり、モードホッピングで発光波長が変化する「波長変動」があると、これに起因して前述の如く「色収差」が生ずる。色収差補正手段１４はこのような色収差を補正する。
【０１７８】
図１３の光ピックアップにおける色収差補正手段１４は、ダブレットレンズである。色消しレンズとして知られる「通常の色消しダブレットレンズ（アクロマートレンズ）」は、分散の小さいクラウンガラスの凸レンズと、分散の大きいフリントガラスの凹レンズとを貼合わせ、波長変動に対する色収差を抑えるが、「色収差補正手段」としてのダブレットレンズ１４は、主として対物レンズ１０での色収差を補正するため「対物レンズ１０と逆極性の色収差」を生じさせるものであり、このため、ダブレットレンズ１４の凸レンズ・凹レンズを構成する光学材料のアッベ数に大きな差（１０以上）を与えている。ダブレットレンズ１４で生じる色収差を大きくできるので、主に対物レンズ１０で発生する色収差の補正を十分に行うことができる。
【０１７９】
図１４（ａ）は、別の色収差補正手段を用いた光ピックアップの実施の形態を示している。図１３におけると同一の符号を付した部分は、図１３におけると同様であるので説明を省略する。この光ピックアップでは「色収差補正手段は対物レンズ１０に一体化」されている。
【０１８０】
図１４（ｂ）に示す例では、色収差補正手段１４ａは、対物レンズ１０の光記録媒体側の面に密着された「対物レンズ１０とは逆極性の色収差を有する硝材或いは樹脂等」である。該樹脂としては、紫外線硬化剤として用いられているフォトポリマーなどが挙げられる。
【０１８１】
密着させる光学材料（硝材あるいは樹脂）と対物レンズ１０とに「アッベ数の大きな差（１０以上）」を確保することにより、光記録媒体１１上に集光される光スポットが色収差の影響を受けないようにできる。
【０１８２】
図１４（ｃ）に示す例では、 色収差補正手段１４ｂは「対物レンズ１０に設けられた回折面」である。対物レンズ１０のレンズ面（図の例では光源側面）に一体化された樹脂膜に形成された回折面１４ｂのパワーは波長に比例し、回折正レンズは波長が長くなると対物レンズのバックフォーカスが短くなる。一方、屈折レンズ（対物レンズ１０）では波長が長くなると材料の屈折率が低下するため長波長側でバックフォーカスが伸びる軸上色収差特性をもつ。このような回折レンズと屈折レンズの相反するデフォーカス特性により色収差補償が可能となる。
【０１８３】
図１５（ａ）は、基板厚誤差検出手段と球面収差補正手段を持つ光ピックアップの実施の形態を示している。図１５（ａ）において、図１３におけると同一の符号を付した部分は、図１３におけると同様のものであるので説明を省略する。
【０１８４】
半導体レーザ４としては、発光波長：６５０ｎｍ±２０ｎｍのもの、あるいは発光波長：４０７±１０ｎｍのものが用いられ、対物レンズ１０としては、発光波長と開口効率に応じて請求項１〜８記載の何れかに記載の対物レンズ、あるいは請求項９〜１６の何れかに記載のものが用いられる。
【０１８５】
図１５（ａ）において、符号１５は「基板厚誤差検出手段」としての「球面収差検出手段」を示し、符号１６は「球面収差補正手段」を示す。球面収差検出手段１５は実際の構成を簡略化して描いたものである。先に述べたように、光記録媒体１１における光照射側基板の厚みは０．１ｍｍが規格であるが、実際に製造された光記録媒体においては、製造誤差により±１０ｎｍ程度の「基板厚誤差」が存在する。
【０１８６】
基板厚誤差が存在すると「対物レンズ１０と光照射側基板との合成系」に球面収差が発生し、記録面上に形成される光スポットの形状が劣化する。このように発生した球面収差は戻り光束の波面を歪ませることになり、検出レンズ１２を介して受光素子１３に向う光束にも球面収差が発生する。
【０１８７】
図１５（ｂ）はこの状態を示している。検出レンズ１２に図の左側から入射する戻り光束に球面収差が発生しているときには、戻り光束の基準波面に対して、光軸に対称に「波面の遅れ」があり、基準波面を集光したときの集光点に対し遅れた波面が集光する位置はデフォーカスとなる。
【０１８８】
そこで、遅れた波面と進んだ波面の差を取り出してフォーカス状態を検出することで「波面収差の発生状況」を知ることができる。例えば、図１５（ａ）における球面収差検出手段１５として「ホログラム、ビームスプリッタなどの光路分離手段、或いは液晶シャッタなどによるタイミングをずらす素子と、図１５（ｂ）に示す如く、領域：Ａと領域：Ｂのように受光領域を分割された受光素子１３Ａと」を用い、各領域：Ａ、Ｂの受光出力を調べることにより、戻り光束における球面収差を検出することができる。
【０１８９】
このように球面収差検出手段により検出される球面収差は、もとを質せば「光照射側基板の基板厚誤差に起因するもの」であるから、検出される球面収差と基板厚誤差とは互いに対応関係があり、従って戻り光束の球面収差を上記の如く検出することにより基板厚誤差を知ることができる。
【０１９０】
このように知られた基板厚誤差に基づき、対物レンズ１０と光照射側基板とによる球面収差を補正して、記録面上に適正な光スポットを形成することが可能になる。
【０１９１】
図１５の実施の形態では、光照射側基板の基板厚誤差に対応して球面収差検出手段１５により検出される球面収差は、受光素子１３Ａの各領域：Ａ、Ｂからの光電出力信号を適宜に組合せて得られる「球面収差信号」として与えられる。
【０１９２】
図１５の実施の形態における球面収差補正手段１６は、２枚のレンズと、これらレンズの間隔を調整する間隔調整手段（図示されず）とにより構成されている。２枚のレンズは一方が正レンズ、他方が負レンズで、図の例では負レンズが光源側に配置されているが、正レンズを光源側に配置しても良い。
【０１９３】
球面収差補正手段１６を構成する正・負レンズの間隔を変化させると、球面収差補正手段１６を対物レンズ１０側へ透過する光束に球面収差が発生するので、この球面収差により「対物レンズと光照射側基板とで発生する球面収差」を相殺するようにすればよい。
【０１９４】
具体的には、球面収差補正手段１６における２枚のレンズの間隔を基準値にして「対物レンズと光照射側基板とで球面収差が発生しない場合」の前記「球面収差信号」が０となるように設定しておき、実際に球面収差が発生したときには、上記球面収差信号を０とするように、上記間隔を調整すればよい。
【０１９５】
なお、球面収差補正手段を構成する正レンズ・負レンズは、その一方若しくは双方を複数枚のレンズで構成しても良い。
【０１９６】
図１６は、基板厚誤差検出手段と球面収差補正手段とを有する光ピックアップの実施の別形態を説明するための図である。図１６（ａ）においても、図１３におけると同一の符号を付した部分は、図１３におけると同様のものであるので説明を省略する。
【０１９７】
この実施の形態で用いられている球面収差補正手段１６Ａは「液晶素子と、これを駆動する電圧制御手段（図示されず）」で構成されている。  
液晶素子は、図１６（ｂ）に示すように、少なくとも一方の透明電極が同心円状に分割され、各同心円帯の電極部分（と共通電極との間）に独立して電圧を印加できるようになっており、上記電圧を制御することにより、各電極部分の液晶の屈折率：ｎをｎ１からｎ２まで自在に変えることができる。
【０１９８】
屈折率：ｎを変化させると、各領域を通過する光線に光路差：Δｎ・ｄ（Δｎは屈折率変化分、ｄは液晶のセル厚）、即ち、波長をλとして、位相差Δｎ・ｄ（２π／λ）を与えることができる。
【０１９９】
球面収差検出手段１５により検出される「対物レンズ１０と光照射側基板とで発生する球面収差を与える波面収差」が、例えば、図１６（ｃ）の如きものであったとする。この波面収差を２次元曲線として示したのが図１６（ｄ）の上の部分である。
【０２００】
このような波面収差に対し、対物レンズ１０に光源側から入射する光束に、図１６（ｄ）の下側部分に示すような位相差が与えられるように、液晶素子の各同心円帯電極に印加する電圧を調整すると、液晶素子を透過する光束の各部での波面の遅れにより前記「波面収差」を打ち消すことができる。図１６（ｅ）は、図１６（ｄ）における実線（波面収差）と破線（液晶素子による波面の遅れ）の和、すなわち補正後の波面収差を示す。もとの波面収差（図１６（ｄ）の上の部分）よりも格段に小さくなっていることが分かる。
【０２０１】
図１５、図１６に示した実施の形態のように、光記録媒体の光照射側基板の基板厚誤差に起因する球面収差を、球面収差補正手段により補正することにより、記録面上に良好な光スポットを形成することができる。
【０２０２】
なお、球面収差補正手段１６、１６Ａは、波面収差の変化量をΔＷ、対物レンズの開口数をＮＡとして、
ΔＷ＞｜２００ＮＡ２＋３７０ＮＡ−１７０｜
を満足するように補正を行うことにより、光スポットの品質を高め、高品質の情報記録・情報再生を行うことができる。
【０２０３】
光記録媒体の記録面は１層に限らない。近来、記録面が多層に重畳され、重畳された各記録面に対して情報の記録・再生・消去を行いうるようにした多層光記録媒体が実用化されつつあり、この発明の光ピックアップ用対物レンズは、このような「多層光記録媒体に使用される無限系の光ピックアップ」においても用いることができる。
【０２０４】
多層光記録媒体の複数の記録面に対して、独立に情報の書き込みと読み出しを行うには、記録面間を数１０μｍ以上離す必要があり、光照射側基板の表面から「記録等を行おうとする所望の記録面」までの距離が記録面に応じて変化することにより、記録面毎に固有の球面収差が生じることになる。
【０２０５】
請求項２３、２４の光ピックアップでは、所望の記録面に対し情報の記録や再生、消去を行うため、所望の面にフォーカスジャンプした際に発生する球面収差量を「球面収差検出手段」により検出し、「球面収差補正手段」により補正することができる。
【０２０６】
図１８において、符号６１０は「記録面を多層化された光記録媒体」を示す。符号６０１ｓは「光照射側基板の表面」を示し、この面の側から順次、第１面６０１ａ、・・第ｎ面６０１ｎが重畳されている。符号６０２ａは第１面６０１ａに集光する集束光束を示し、符号６０２ｂは第ｎ面６０１ｎに集光する集束光束を示している。
【０２０７】
このような多層光記録媒体を用いる光ピックアップの、具体的な実施の形態としては、上に説明した図１５、図１６に示したものと同様の構成の光ピックアップとすることができる。
【０２０８】
先に説明したところでは、図１５、図１６において、光記録媒体１１は「記録面が１面であるもの」であり、球面収差検出手段１５は光記録媒体１１における光照射側基板の基板厚誤差により発生する球面収差を検出し、このように検出された球面収差を、球面収差補正手段１６（正・負レンズ等）あるいは１６Ａ（液晶素子等）により補正した。
【０２０９】
図１５、図１６において光記録媒体１１として「多層光記録媒体」を用いる場合は、「所望の面にフォーカスジャンプした際に発生する球面収差量」を球面収差補正手段１５により検出し、検出された球面収差を、球面収差補正手段１６、１６Ａにより補正するようにすればよい。
【０２１０】
図１７は、多層光記録媒体を用いる光ピックアップの、実施の別形態を示している。図１３におけると同様のものには図１３図におけると同一の符号を付し、説明を省略する。  
図１７において、光記録媒体１１は「多層光記録媒体」であり、対物レンズ１０は「光記録媒体１１にける光照射側基板の表面から最も離れた第ｐ面に光スポットを形成するときに波面収差が最小となる」ように設計されている。即ち、光照射側基板表面から第ｐ面までの距離が０．１ｍｍである。
【０２１１】
この場合、第ｐ面と異なる第ｑ面に光スポットを形成するときは球面収差が発生するので、これを球面収差検出手段１５により検出し、球面収差補正手段１６Ｂにより補正する。
【０２１２】
この実施の形態における球面収差補正手段１６Ｂは、厚さが段階的に異なる透明平行平板と、この透明平行平板における所望の厚さの部分を、対物レンズ１０と光記録媒体１１との間に出入させる駆動手段（図示されず）とから構成されている。
【０２１３】
透明平行平板は、光記録媒体と同じ材料で形成され、隣接記録面の間隔：ｔを単位として「厚さが階段状に変化」しており、第ｑ面に対して記録等を行うときには、厚さ：(ｐ−ｑ)ｔの部分を対物レンズ１０と光記録媒体１１の間に挿入する。これにより、任意の第ｑ面に記録や再生、消去を行う際、対物レンズ１０に対して、任意の記録面との間にある透明物質の厚さが変化しないため、球面収差によるスポットのぼけは発生せずに最良の記録再生が可能である。
【０２１４】
なお、記録面を多層化された光記録媒体に情報の記録等を行う場合の球面収差の補正は、前記波面収差の変化量をΔＷ、対物レンズの開口数をＮＡとして、
ΔＷ＞｜(ｐ−1)ｔ−２００ＮＡ２＋３７０ＮＡ−１７０｜
を満足するように行うことにより、光スポットの品質を高め、高品質の情報記録・情報再生を行うことができる。
【０２１５】
図１３〜図１７に実施の形態を示した光ピックアップは、光照射側基板厚：０．１ｍｍの光記録媒体１１に対して情報の記録・再生・消去の１以上を行う無限系の光ピックアップである。そして、使用波長が６５０±２０ｎｍのときは、光源からの光束を光記録媒体の記録面上に光スポットとして集光させるための対物レンズとして請求項１〜８の任意の１に記載の光ピックアップ用対物レンズ(具体的には、実施例１〜６のもの)を用いるものであり（請求項１７）、使用波長が４０７±２０ｎｍのときは、対物レンズとして請求項９〜１６の任意の１に記載の光ピックアップ用対物レンズ(具体的には、実施例７〜１２のもの)を用いるもの（請求項１８）である。
【０２１６】
図１３、図１４の光ピックアップは、波長変動に起因する色収差を補正するための色収差補正手段１４、１４ａ、１４ｂを有し（請求項１９）、図１３の光ピックアップでは、色収差補正手段１４が「正・レンズによるダブレットレンズ」であり、図１４の光ピックアップでは「光ピックアップ用対物レンズに設けられた樹脂コート１４ａ」、あるいは「回折面１４ｂ」である（請求項２０）。
【０２１７】
図１５〜図１８に示す光ピックアップは、光記録媒体の光照射側基板の基板厚誤差を検出する基板厚誤差検出手段１５と、基板厚誤差に起因する球面収差を、基板厚誤差検出手段１５が検出する基板厚誤差に基づいて補正する球面収差補正手段１６、１６Ａ、１６Ｂとを有し（請求項２１）、図１６の光ピックアップでは、球面収差補正手段１６が「レンズ間隔可変の正・負レンズ」であり、図１７の光ピックアップでは「同心円状の電極パターンを持つ液晶素子」である（請求項２２）。
【０２１８】
そして上記の如く、図１６、図１７の光ピックアップでは、光記録媒体が「多層光記録媒体で光照射側基板厚：０．１ｍｍのもの」である場合にも適応することができ、光照射側基板面から任意の記録面までの間隔に応じて変化する球面収差を検出する球面収差検出手段１５と、この球面収差検出手段により検出された球面収差を補正する球面収差補正手段１６、１６Ａとを有し、使用波長：６５０±２０ｎｍのときは、光源からの光束を光記録媒体の所望の記録面上に光スポットとして集光させるための対物レンズとして請求項１〜８の任意の１に記載のもの(具体的には、実施例１〜６のもの)が用いられ（請求項２３）、使用波長：４０７±１０ｎｍのときは、光源からの光束を光記録媒体の所望の記録面上に光スポットとして集光させるための対物レンズとして請求項９〜１６の任意の１に記載のもの(具体的には、実施例７〜１２のもの)が用いられる（請求項２４）。
【０２１９】
図１５〜図１８の光ピックアップにはまた、図１３、図１４に示したような「波長変動に起因する色収差を補正するための色収差補正手段１４、１４Ａ、１４Ｂを付加する」ことができる（請求項２６）。また、例えば、図１５における球面収差補正手段１６の２群のレンズに「分散の異なる硝材」を用いることにより、色収差補正手段としての機能を持たせることができる。即ち、色収差補正手段と球面収差補正手段とを一体とすることができる（請求項２６）。
【０２２０】
図１９は、光情報処理装置の実施の１形態を略示する図である。  
光情報処理装置１３０は光記録媒体に対して、光ピックアップを用いて情報の記録・再生・消去の１以上を行う装置である。この実施の形態において、光記録媒体１３１はディスク状であって、保護ケース１３２内に格納されている。光記録媒体１３１は保護ケース１３２ごと、挿入口１３６から光情報処理装置１３０に矢印「入」方向へ挿入セットされ、スピンドルモータ１３３により回転され、光ピックアップ１３５により情報の記録や再生、あるいは消去が行われる。
【０２２１】
光ピックアップ１３５として、上に実施の各形態を説明したものを適宜用いることができる（請求項２７）。
【０２２２】
なお、光ピックアップにおける色収差を補正する技術は、従来から、例えば特開２０００−９０４７号公報、特公平６−１４１３５号公報、特開昭６２−３６６２１号公報、特開平９−１３８３４４号公報等により知られており、これら公知の適宜の方法を利用することができる。
【０２２３】
同様に、球面収差補正手段も従来から、特開２０００−１３１６０号公報や特開平１０−２０２６３号公報等によるものが知られており、従来から知られた球面収差補正手段を適宜利用することができる。
【図面の簡単な説明】
【０２２４】
【図１】実施例１の光ピックアップ用対物レンズの形態と非点収差、球面収差を示す図である。
【図２】実施例２の光ピックアップ用対物レンズの形態と非点収差、球面収差を示す図である。
【図３】実施例３の光ピックアップ用対物レンズの形態と非点収差、球面収差を示す図である。
【図４】実施例４の光ピックアップ用対物レンズの形態と非点収差、球面収差を示す図である。
【図５】実施例５の光ピックアップ用対物レンズの形態と非点収差、球面収差を示す図である。
【図６】実施例６の光ピックアップ用対物レンズの形態と非点収差、球面収差を示す図である。
【図７】実施例７の光ピックアップ用対物レンズの形態と非点収差、球面収差を示す図である。
【図８】実施例８の光ピックアップ用対物レンズの形態と非点収差、球面収差を示す図である。
【図９】実施例９の光ピックアップ用対物レンズの形態と非点収差、球面収差を示す図である。
【図１０】実施例１０の光ピックアップ用対物レンズの形態と非点収差、球面収差を示す図である。
【図１１】実施例１１の光ピックアップ用対物レンズの形態と非点収差、球面収差を示す図である。
【図１２】実施例１２の光ピックアップ用対物レンズの形態と非点収差、球面収差を示す図である。
【図１３】光ピックアップの実施の１形態を説明するための図である。
【図１４】光ピックアップの実施の別形態を説明するための図である。
【図１５】光ピックアップの実施の他の形態を説明するための図である。
【図１６】光ピックアップの実施の他の形態を説明するための図である。
【図１７】光ピックアップの実施の他の形態を説明するための図である。
【図１８】記録面を多層に重畳された光記録媒体を説明するための図である。
【図１９】光情報処理装置の実施の１形態を要部のみ斜視図的に略示する図である。
【図２０】光ピックアップ用対物レンズの条件式を説明するための図である。
【図２１】光ピックアップ用対物レンズの条件式を説明するための図である。
【図２２】光ピックアップ用対物レンズの条件式を説明するための図である。
【符号の説明】
【０２２５】
１      アパーチュア
２      光ピックアップ用対物レンズ
３      光照射側基板
【図１】
2007080505.tif 000015
【図２】
2007080505.tif 000016
【図３】
2007080505.tif 000017
【図４】
2007080505.tif 000018
【図５】
2007080505.tif 000019
【図６】
2007080505.tif 000020
【図７】
2007080505.tif 000021
【図８】
2007080505.tif 000022
【図９】
2007080505.tif 000023
【図１０】
2007080505.tif 000024
【図１１】
2007080505.tif 000025
【図１２】
2007080505.tif 000026
【図１３】
2007080505.tif 000027
【図１４】
2007080505.tif 000028
【図１５】
2007080505.tif 000029
【図１６】
2007080505.tif 000030
【図１７】
2007080505.tif 000031
【図１８】
2007080505.tif 000032
【図１９】
2007080505.tif 000033
【図２０】
2007080505.tif 000034
【図２１】
2007080505.tif 000035
【図２２】
2007080505.tif 000036
【手続補正書】
【提出日】平成18年12月5日(2006.12.5)
【手続補正１】
【補正対象書類名】特許請求の範囲
【補正対象項目名】全文
【補正方法】変更
【補正の内容】
【特許請求の範囲】
【請求項１】
使用波長：４０７±１０ｎｍで光照射側基板厚：０．１ｍｍの光記録媒体に対して情報の記録・再生・消去の１以上を行う無限系の光ピックアップにおいて、光源側からの光束を上記光記録媒体の記録面上に光スポットとして集光させるための対物レンズであって、
単レンズとして構成され、両面が非球面であり、開口数：ＮＡが０．８５であり、
光源側面の近軸曲率半径：Ｒ１、ワーキングディスタンス：ＷＤ、ｄ線に対する材質の屈折率：ｎｄ、アッベ数：νｄ、焦点距離：ｆが、条件：
（２１）  Ｒ１/ｆ≦１．０ｎｄ−０．７  
（２２）  ＷＤ/ｆ≦０．３３ｎｄ−０．１８  
（２３）  ４５≦νｄ≦５５  
を満足することを特徴とする光ピックアップ用対物レンズ。 
【請求項２】
請求項１記載の光ピックアップ用対物レンズにおいて、
光源側に強い曲率の面を向けた両凸レンズであり、
ｄ線に対する材質の屈折率：ｎｄが、
（２４）  １．６５≦ｎｄ≦１．７２  
を満足することを特徴とする光ピックアップ用対物レンズ。
【請求項３】
請求項２記載の光ピックアップ用対物レンズにおいて、
光源側面の近軸曲率半径：Ｒ１＝１．３５３０５  
ワーキングディスタンス：ＷＤ＝０．６１５２４４  
ｄ線に対する材質の屈折率：ｎｄ＝１．６９３３０  
アッベ数：νｄ＝５３．１７  
であることを特徴とする光ピックアップ用対物レンズ。 
【請求項４】
請求項１記載の光ピックアップ用対物レンズにおいて、
凸面を光源側に向けたメニスカスレンズであることを特徴とする光ピックアップ用対物レンズ。
【請求項５】
請求項４記載の光ピックアップ用対物レンズにおいて、
光源側面の近軸曲率半径：Ｒ１＝１．３３３８６  
ワーキングディスタンス：ＷＤ＝０．４６８０３４  
ｄ線に対する材質の屈折率：ｎｄ＝１．７４３３０  
アッベ数：νｄ＝４９．３６  
であることを特徴とする光ピックアップ用対物レンズ。 
【請求項６】
使用波長：４０７±１０ｎｍで光照射側基板厚：０．１ｍｍの光記録媒体に対して情報の記録・再生・消去の１以上を行う無限系の光ピックアップであって、
光源からの光束を上記光記録媒体の記録面上に光スポットとして集光させるための対物レンズとして、請求項１〜５の任意の１に記載の光ピックアップ用対物レンズを用いることを特徴とする光ピックアップ。
【請求項７】
請求項６記載の光ピックアップにおいて、
波長変動に起因する色収差を補正するための色収差補正手段を有することを特徴とする光ピックアップ。
【請求項８】
請求項７記載の光ピックアップにおいて、
色収差補正手段が、ダブレットレンズであるか、光ピックアップ用対物レンズに設けられた樹脂コート、あるいは、光ピックアップ用対物レンズに設けられた回折面であることを特徴とする光ピックアップ。
【請求項９】
請求項６〜９の任意の１に記載の光ピックアップにおいて、
光記録媒体の光照射側基板の基板厚誤差を検出する基板厚誤差検出手段と、
上記基板厚誤差に起因する球面収差を、上記基板厚誤差検出手段が検出する基板厚誤差に基づいて補正する球面収差補正手段とを有することを特徴とする光ピックアップ。
【請求項１０】
請求項９記載の光ピックアップにおいて、
球面収差補正手段が、レンズ間隔可変の正・負２群レンズであるか、同心円状の電極パターンを持つ液晶素子であることを特徴とする光ピックアップ。
【請求項１１】
記録面が多層に重畳され、光照射側基板厚：０．１ｍｍで、使用波長：４０７±１０ｎｍの光記録媒体に対して情報の記録・再生・消去の１以上を行う無限系の光ピックアップであって、
光照射側基板面から任意の記録面までの間隔に応じて変化する球面収差を検出する球面収差検出手段と、
この球面収差検出手段により検出された球面収差を補正する球面収差補正手段と、
を有し、
光源からの光束を上記光記録媒体の所望の記録面上に光スポットとして集光させるための対物レンズとして、請求項１〜５の任意の１に記載の光ピックアップ用対物レンズを用いることを特徴とする光ピックアップ。
【請求項１２】
請求項１１記載の光ピックアップにおいて、
波長変動に起因する色収差を補正するための色収差補正手段を有することを特徴とする光ピックアップ。
【請求項１３】
請求項６〜１２の任意の１に記載の光ピックアップにおいて、
色収差補正手段と球面収差補正手段を有し、これら２手段が一体であることを特徴とする光ピックアップ。
【請求項１４】
光記録媒体に対して、光ピックアップを用いて情報の記録・再生・消去の１以上を行う、光情報処理装置であって、
光ピックアップとして、請求項６〜１３の任意の１に記載のものを用いたことを特徴とする光情報処理装置。
【手続補正２】
【補正対象書類名】明細書
【補正対象項目名】全文
【補正方法】変更
【補正の内容】
【発明の詳細な説明】
【技術分野】
【０００１】
この発明は、光ピックアップ用対物レンズおよび光ピックアップおよび光情報処理装置に関する。
【背景技術】
【０００２】
ＣＤ（コンパクトディスク）やＤＶＤ（デジタルビデオディスク）に代表される「光記録媒体」に対し、光ピックアップを用いて情報の記録・再生・消去を行う「光情報処理装置」は広く普及し、日常生活に欠くことのできないものとなりつつある。このような光情報処理の技術においては、光記録媒体に対する情報記録の高密度化が課題として常に求められている。
【０００３】
光記録媒体の記録面上に形成される光スポットは、光ピックアップの対物レンズにより集束されるレーザ光束のビームウエストにより形成され、ビームウエスト径が対物レンズの開口数（ＮＡ）に反比例し、レーザ光束の波長に比例することから、情報記録の高密度化を実現する方策として、光ピックアップにおける対物レンズの開口数の増大と、レーザ光束の短波長化が求められている。
【０００４】
レーザ光束の短波長化に関しては、ＤＶＤ用の「６６０ｎｍ近傍の発光波長」を持つ半導体レーザがすでに実用化され、近来、波長：４００ｎｍ程度のレーザ光源が実用化されつつある。
【０００５】
開口数の大きい対物レンズとしては、ＮＡ：０．７以上のものが提案されている（例えば、特許文献１）。しかし、従来提案された開口数の大きい対物レンズは、何れも「２枚組」であるため、１枚構成の対物レンズに比して組付工程の増加・組付の高精度化が不可避的であり、重量増大による高速駆動の困難性等の問題もある。
【０００６】
また、２枚組の対物レンズでは、光記録媒体との間隔に相当するワーキングディスタンスが小さくなり、情報記録媒体と対物レンズの接触により光記録媒体やレンズに傷が生じる可能性が増大し、高信頼性の実現が難しい。
【０００７】
一方、１枚構成の対物レンズには上記の如き問題はないが、開口数を大きくするのが困難であるとされ、現在知られているものでは、開口数：６．５程度が最大である。
【０００８】
従来、光記録媒体における「光照射側基板厚（光が照射される側の面から記録面に至る距離）」は、ＣＤに対して１．２ｍｍ、ＤＶＤに対して０．６ｍｍが規格であるが、近来、光照射側基板厚を０．１ｍｍに規格化する動向があり、早晩この新規格が実現するものと考えられている。
【０００９】
光ピックアップの光源として一般的に用いられる半導体レーザの発光波長には個体ごとの「ばらつき」があり、また、半導体レーザには温度変化等により中心波長が数ｎｍ変化するモードホッピングの現象もある。
【００１０】
光ピックアップにおいて、半導体レーザから放射される波長が「個体ごとのばらつき」により、光学系設計の基準波長と異なる場合や、モードホッピングで変化した場合、光ピックアップ光学系に色収差が生じ、記録面上で光スポットのスポット径が増大し、記録動作や再生動作に支障をきたす虞れがある。
【００１１】
特に、発光波長：４４０ｎｍ以下の短波長半導体レーザを光源に用いる場合、波長変動により対物レンズで生じる色収差は許容できない問題となる。即ち、このような短波長領域では、微小な波長変動に対する屈折率変化が大きくなって色収差も大きくなり、焦点の移動量であるデフォーカス量が大きくなるが、光記録媒体への高密度化のため光スポットを小径化すると、対物レンズの焦点深度：ｄが、波長：λ、開口数：ＮＡと、  
ｄ＝λ/(ＮＡ)２ 
の関係にあるため、波長：λが短いほど焦点深度：ｄが小さくなり、デフォーカスに対する許容度が厳しくなるのである。
【００１２】
光記録媒体の光照射側基板厚：０．１ｍｍに対し、±１０ｎｍ程度の製造誤差が不可避である。このような基板厚誤差は、規格基板厚に応じて設計された対物レンズの結像に球面収差を発生させて光スポット径を拡大させ、光ピックアップの動作に支障をきたす虞れがある。周知の如く、球面収差は、対物レンズの開口数：ＮＡの４乗に比例して発生するので、対物レンズの開口数が大きくなるにつれて、基板厚誤差の影響も大きくなる。
【００１３】
光記録媒体として、近時、記録の大容量化を目して、記録面を複数層に重畳させた所謂「多層光記録媒体」が実用化されつつある。多層光記録媒体では、複数の記録面に対して独立に情報の記録・再生・消去を行うため、数１０μｍ以上の記録面間隔（スペーサ厚）を必要とし、記録面毎に対物レンズからの距離が違うので、最適な位置からずれた記録面では球面収差が生じることになる。
【００１４】
【特許文献１】特開平１０−１２３４１０号公報
【発明の開示】
【発明が解決しようとする課題】
【００１５】
この発明は上述した事情に鑑み、単レンズ構成で、光スポット径の小径化に有効な、ＮＡの大きい光ピックアップ用対物レンズ、この光ピックアップ用対物レンズを用いた光ピックアップ、光情報処理装置の実現を課題とする。
【００１６】
この発明はまた、上記光ピックアップ用対物レンズを用いる光ピックアップにおいて、波長変動に起因する色収差を抑制し、動作精度を高めることを別の課題とする。
【００１７】
この発明はまた、上記光ピックアップ用対物レンズを用いる光ピックアップにおいて、基板厚誤差に起因する球面収差を補正し、光ピックアップの信頼性を高めることを他の課題とする。
【００１８】
この発明はまた、上記光ピックアップ用対物レンズを用いる光ピックアップにおいて、多層光記録媒体に対し、各記録面に対し良好な記録・再生・消去の１以上を行いうるようにすることを他の課題とする。
【課題を解決するための手段】
【００１９】
請求項１記載の光ピックアップ用対物レンズは「使用波長：４０７±１０ｎｍで光照射側基板厚：０．１ｍｍの光記録媒体に対して情報の記録・再生・消去の１以上を行う無限系の光ピックアップにおいて、光源側からの光束を上記光記録媒体の記録面上に光スポットとして集光させるための対物レンズ」である。
【００２０】
情報の記録・再生・消去の１以上を行うとは、情報の記録のみを行うこと、再生のみを行うこと、消去のみを行うこと、記録と再生とを行うこと、記録と消去とを行うこと、再生と消去とを行うこと、記録と再生と消去とを行うことを総称する。「無限系の光ピックアップ」は、光ピックアップ用対物レンズに対する設計上の物点(光源)が無限遠となるように設計された光ピックアップである。
【００２１】
請求項１記載の光ピックアップ用対物レンズは、以下の如き特徴を有する。  
即ち、この対物レンズは、単レンズとして構成され、両面が非球面であり、開口数：ＮＡが０．８５である。そして、光源側面の近軸曲率半径：Ｒ１、ワーキングディスタンス：ＷＤ、ｄ線に対する材質の屈折率：ｎｄ、アッベ数：νｄ、焦点距離：ｆが、条件：
（２１）  Ｒ１/ｆ≦１．０ｎｄ−０．７  
（２２）  ＷＤ/ｆ≦０．３３ｎｄ−０．１８  
（２３）  ４５≦νｄ≦５５  
を満足する。
【００２２】
請求項１記載の光ピックアップ用対物レンズは「凸面を光源側に向けたメニスカスレンズ」であることができる（請求項４）。
また、請求項１記載の光ピックアップ用対物レンズは「光源側に強い曲率の面を向けた両凸レンズ」で、ｄ線に対する材質の屈折率：ｎｄが、
（２４）  １．６５≦ｎｄ≦１．７２  
を満足するものであることができる（請求項２）。
請求項２記載の対物レンズは、
光源側面の近軸曲率半径：Ｒ１＝１．３５３０５  
ワーキングディスタンス：ＷＤ＝０．６１５２４４  
ｄ線に対する材質の屈折率：ｎｄ＝１．６９３３０  
アッベ数：νｄ＝５３．１７  
であることができる（請求項３）。
【００２３】
請求項４記載の光ピックアップ用対物レンズは、
光源側面の近軸曲率半径：Ｒ１＝１．３３３８６  
ワーキングディスタンス：ＷＤ＝０．４６８０３４  
ｄ線に対する材質の屈折率：ｎｄ＝１．７４３３０  
アッベ数：νｄ＝４９．３６  
であることができる（請求項５）。
【００２４】
請求項６記載の光ピックアップは「使用波長：４０７±１０ｎｍで光照射側基板厚：０．１ｍｍの光記録媒体に対して情報の記録・再生・消去の１以上を行う無限系の光ピックアップ」であって、光源からの光束を光記録媒体の記録面上に光スポットとして集光させるための対物レンズとして、請求項１〜５の任意の１に記載の光ピックアップ用対物レンズを用いることを特徴とする。
【００２５】
上記請求項６記載の光ピックアップは「波長変動に起因する色収差を補正するための色収差補正手段」を有することができる(請求項７)。  
色収差補正手段は「ダブレットレンズ」あるいは「光ピックアップ用対物レンズに設けられた樹脂コート」あるいは「光ピックアップ用対物レンズに設けられた回折面」等であることができる(請求項８)。上記「波長変動」は、光源として用いられる半導体レーザの「規格発光波長に対する個別的なずれ」、「モードホッピングによる波長変動」を総称する。
【００２６】
上記請求項６〜８の任意の１に記載の光ピックアップはまた、基板厚誤差検出手段と、球面収差補正手段を有することができる(請求項９)。  
「基板厚誤差検出手段」は、光記録媒体の光照射側基板の基板厚誤差を検出する。
【００２７】
「球面収差補正手段」は、基板厚誤差に起因する球面収差を、基板厚誤差検出手段が検出する基板厚誤差に基づいて補正する。
【００２８】
請求項９記載の光ピックアップにおいて、球面収差補正手段は「レンズ間隔可変の正・負２群レンズ」あるいは「同心円状の電極パターンを持つ液晶素子」等であることができる(請求項１０)。
【００２９】
請求項１１記載の光ピックアップは「記録面が多層に重畳され、光照射側基板厚：０．１ｍｍで、使用波長：４０７±１０ｎｍの光記録媒体に対して情報の記録・再生・消去の１以上を行う無限系の光ピックアップ」であって、球面収差検出手段と、球面収差補正手段とを有する。
【００３０】
「球面収差検出手段」は、光照射側基板面から任意の記録面までの間隔に応じて変化する球面収差を検出する手段である。  
「球面収差補正手段」は、上記球面収差検出手段により検出された球面収差を補正する手段である。
【００３１】
そして、光源からの光束を光記録媒体の所望の記録面上に光スポットとして集光させるための対物レンズとして、請求項１〜５の任意の１に記載の光ピックアップ用対物レンズが用いられる。
【００３２】
上記請求項１１記載の光ピックアップは「波長変動に起因する色収差を補正するための色収差補正手段」を有することができる(請求項１２)。  
上記請求項６〜１２の任意の１に記載の光ピックアップは「色収差補正手段と球面収差補正手段とを一体として」有することができる(請求項１３)。
【００３３】
この発明の光情報処理装置は「光記録媒体に対して、光ピックアップを用いて情報の記録・再生・消去の１以上を行う光情報処理装置」であって、光ピックアップとして、請求項６〜１３の任意の１に記載のものを用いたことを特徴とする(請求項１４)。
【００３４】
上の説明において「光記録媒体の形態」は一般にディスク状である。光記録媒体の光照射側基板厚：０．１ｍｍは規格値であり、この規格値に基づいて「無限系の光ピックアップの光学系」が設計される。光ピックアップ用対物レンズは、この光学系の１部として設計される。実際に使用される光記録媒体における光照射側基板厚は一般に、上記規格値に対して誤差を有する。
【００３５】
上記条件（２１）〜（２４）は、請求項１〜５の任意の１に記載の光ピックアップ用対物レンズが「所定範囲の開口数と所望の性能」を実現するための条件である。
【００３６】
無限系の光ピックアップ用対物レンズは、光源側から入射する平行光束を集光させる正レンズであり、この発明の光ピックアップ用対物レンズは、単レンズ構成で両面が非球面であるところから、レンズの形態としては両凸レンズ、メニスカスレンズが可能である。この場合、収差補正の観点から、両凸レンズの場合は「曲率の強い面を光源側に配する」のが良い(請求項３)。また、メニスカスレンズの場合には「光源側に凸面を向ける」のが良い（請求項４）。
【００３７】
波長：４０７±１０ｎｍの使用波長で、光照射側基板厚：０．０１ｍｍの基板を介して、記録面に光スポットを「所望のスポット径」で形成するに際し、「良好な光スポットを形成するために許容される波面収差の上限値」を０．０１λ（λ：波長）とした。
【００３８】
条件（２１）は、光ピックアップ用対物レンズの光源側の近軸曲率半径：Ｒ１と、レンズ材質のｄ線に対する屈折率：ｎｄと、焦点距離：ｆの関係を規定している。
例えば、対物レンズで開口数：ＮＡ＝０．６５を実現する場合を考え、そのためのパラメータとして、上記Ｒ１とｎｄを考える。
【００３９】
光ピックアップ用対物レンズの光源側の面が「光源側に凸」であるとすると、近軸曲率半径：Ｒ１が大きくなることは、この面における「正の屈折力が小さく」なることを意味する。この発明では「光ピックアップ用対物レンズの開口数を大きくする」ことを課題としており、開口数を大きくするには「レンズにおける正の屈折力を大きく」しなければならない。したがって、上記の如く近軸曲率半径：Ｒ１を大きくしてなおかつ開口数を大きくしようとすれば、レンズ材質の屈折率を大きくしなければならず、「レンズ材質の屈折率：ｎｄは、近軸曲率半径：Ｒ１の増大に伴って増大する」関係にある。
【００４０】
「波面収差：０．０１λ以下」を達成できるという条件のもとで、近軸曲率半径：Ｒ１と屈折率：ｎｄとが満足する関係を、「曲率の強い面を光源側に向けた両凸レンズ」として形成される光ピックアップ用対物レンズの有効径：φ＝３ｍｍ、開口数：ＮＡ＝０．６５のもとで求めて見ると、図１０における「黒丸」のようになる。即ち、「黒丸」は直線１４−１上に位置する。このことから、近軸曲率半径：Ｒ１と屈折率：ｎｄは１次の比例関係にあることが分かる。
【００４１】
一方、開口数：ＮＡと焦点距離：ｆとの間には関係：ｆ＝(φ/２)/ＮＡが成り立つ。  
φ＝３ｍｍ、ＮＡ＝０．６５であるから、ｆ＝２．３１ｍｍとなる。この焦点距離の値を用い、図１０における直線１４−１の式を、パラメータ：Ｒ１／ｆとｎｄとを変数として求めてみると、
Ｒ１/ｆ＝１．３ｎｄ−１．２  
となる。Ｒ１とｎｄとｆとの関係がこの式から外れると、光源側や光記録媒体側のレンズ面の非球面形状、レンズの厚みや材質を調整しても、開口数：０．６５で波面収差：０．０１λ以下を達成することができない。
【００４２】
上に説明したところを、開口数：ＮＡ＝０．７５、波面収差：０．０１λ以下として行ってみると、近軸曲率半径；Ｒ１と屈折率：ｎｄの関係は、図１０における「黒三角」の配列する直線１４−２のようになり、この直線１４−２の式を、パラメータ：Ｒ１／ｆとｎｄとを変数として求めてみると、
Ｒ１/ｆ＝１．２ｎｄ−１．１  
となる。Ｒ１とｎｄとｆとの関係がこの式から外れると、光源側や光記録媒体側のレンズ面の非球面形状、レンズの厚みや材質を調整しても、開口数：０．７５で波面収差：０．０１λ以下を達成することができない。
【００４３】
同様にして、この発明の光ピックアップ用対物レンズの開口数：ＮＡ＝０．８５の場合に、波面収差：０．０１λ以下としてみると、近軸曲率半径；Ｒ１と屈折率：ｎｄの関係は、図１０における「白い四角」の配列する直線１４−３のようになり、この直線１４−３の式を、パラメータ：Ｒ１／ｆとｎｄとを変数として求めてみると、
Ｒ１/ｆ＝１．０ｎｄ−０．７  
となる。Ｒ１とｎｄとｆとの関係が、この式から直線１４−３の上方へ外れると、光源側や光記録媒体側のレンズ面の非球面形状、レンズの厚みや材質を調整しても、開口数：０．８５で波面収差：０．０１λ以下を達成することができない。
【００４４】
このことから、Ｒ１とｎｄとの関係を表す直線は、開口数：ＮＡが大きくなるほど、勾配が緩くなることがわかる。
【００４５】
従って、波面収差：０．０１λ以下で、開口数：ＮＡ＝０．８５の光ピックアップ用対物レンズにおいては、パラメータ：Ｒ１／ｆとｎｄとは、使用波長：４０７±１０ｎｍについて、条件（２１）を満足しなければならない。
【００４６】
次ぎに、この発明の光ピックアップ用対物レンズは「光ピックアップの信頼性を高めるために必要なワーキングディスタンス：ＷＤを確保する」ものである。  
ワーキングディスタンス：ＷＤを大きくするには、バックフォーカスを大きくすればよく、そのためには光ピックアップ用対物レンズの屈折率を小さくして屈折力を小さくすれば良いが、これは開口数の減少につながる。  
したがって、所要の開口数を確保しつつ所要のワーキングディスタンスを確保するには、開口数と屈折率とをバランスさせねばならない。
【００４７】
「開口数：０．８５で、かつ、波面収差を０．０１λ以下に抑える条件」のもとで許容されるワーキングディスタンス：ＷＤとレンズ材質の屈折率：ｎｄとの関係を、「曲率の強い面を光源側に向けた両凸レンズ」として形成される光ピックアップ用対物レンズの有効径：φ＝３ｍｍとして調べて見ると、図１１の如くなる。
図１１における「白い四角の配列」による直線１５−３が、開口数：０．８５に関するものである。因みに、図１１における「黒丸の配列」による直線１５−１は開口数：０．６５に関するものであり、「黒三角の配列」による直線１５−２は開口数：０．７５に関するものである。
【００４８】
これら直線１５−１〜１５−３を、パラメータ：ＷＤ／ｆとｎｄとを変数として求めてみると、
開口数：ＮＡ＝０．６５に対する直線１５−１は、
ＷＤ/ｆ＝０．３９ｎｄ−０．０４  
となり、ＷＤとｎｄとｆとの関係がこの式から、直線１５−１の上方へ外れると、光源側や光記録媒体側のレンズ面の非球面形状、レンズの厚みや材質を調整しても、開口数：０．６５で波面収差：０．０１λ以下を達成することができない。
【００４９】
開口数：ＮＡ＝０．７５に対する直線１５−２は、
ＷＤ/ｆ＝０．３７ｎｄ−０．１４  
となり、ＷＤとｎｄとｆとの関係がこの式から、直線１５−２の上方へ外れると、光源側や光記録媒体側のレンズ面の非球面形状、レンズの厚みや材質を調整しても、開口数：０．７５で波面収差：０．０１λ以下を達成することができない。
【００５０】
開口数：ＮＡ＝０．８５に対する直線１５−３は、
ＷＤ/ｆ＝０．３３ｎｄ−０．１８  
となる。ＷＤとｎｄとｆとの関係がこの式から、直線１５−３の上方へ外れると、光源側や光記録媒体側のレンズ面の非球面形状、レンズの厚みや材質を調整しても、開口数：０．８５で波面収差：０．０１λ以下を達成することができない。
【００５１】
このことから、ＷＤとｎｄとの関係を表す直線は、開口数：ＮＡが大きくなるほど、勾配が緩くなることがわかる。
したがって、波面収差：０．０１λ以下で、開口数：ＮＡ＝０．８５の光ピックアップ用対物レンズにおいては、パラメータ：ＷＤ／ｆとｎｄとは、使用波長：４０７±１０ｎｍについて、条件（２２）を満足しなければならない。
【００５２】
次ぎに、「光源側に強い曲率を向けた両凸レンズ」として形成された光ピックアップ用対物レンズにおいて、上記条件（２１）、（２２）が満足された状態において、所要の開口数を実現し、波面収差：０．０λ以下を実現するために許容されるレンズ材料を、屈折率：ｎｄとアッベ数：νｄとで表して見ると図１２の如くになる。
【００５３】
図１２（ａ）〜（ｃ）は使用波長：６５０ｎｍの場合であり、開口数：ＮＡは（ａ）において０．６５、（ｂ）において０．７５、（ｃ）において０．８５である。また、図１２（ｄ）〜（ｆ）は使用波長：４０７ｎｍの場合であり、開口数：ＮＡは（ｄ）において０．６５、（ｅ）において０．７５、（ｆ）において０．８５である。
【００５４】
これらの図で「黒丸で示す屈折率・アッベ数の組合せ」を持つレンズ材料が許容されるものである。一般的傾向として、開口数が大きくなるほど、屈折率・アッベ数に許容される範囲が狭まり、この傾向は使用波長：４０７ｎｍにおいて顕著である。
【００５５】
条件（２３）、（２４）は、図１２の（ｃ）、（ｆ）における屈折率・アッベ数の許容範囲を規定したものである。
【００５６】
光ピックアップ用対物レンズを「曲率の強い面を光源側に向けた両凸レンズ」として構成する場合、屈折率：ｎｄに対する条件（２４）が満足されない場合、対物レンズの屈折率が小さすぎ、所望のＮＡを実現する場合、特に光源側のレンズ面の曲率を大きくせざるを得ず、対物レンズ面を高精度に形成するのが困難になり、対物レンズとしてのコストも高くなってしまう。
【００５７】
また、アッベ数：νｄに対する条件（２３）が満足されないと、光源における波長の変動による色収差が大きくなりすぎてしまう。これらアッベ数：νｄ、屈折率：ｎｄに関する条件は、特に、光ピックアップ用対物レンズが「光源側に曲率の強い面を向けた両凸レンズ」である場合に満足することが望ましい。
【００５８】
上には、光ピックアップ用対物レンズが「曲率の強い面を光源側に向けた両凸レンズ」である場合（請求項２）につき説明したが、後記実施例に示すように、光ピックアップ用対物レンズを「凸面を光源側に向けたメニスカスレンズ（請求項４）」として形成する場合にも、開口数：ＮＡに応じて、条件（２１）、（２２）を満足することにより、波面収差：０．０１λ以下の良好な性能を実現できる。
【００５９】
上記メニスカスレンズでは、光記録媒体側の面が凹面と成るため、両凸レンズの場合に比してレンズ面による屈折力は弱くなるので、これを補うためには材質の屈折率を高めるのがよい。また、光源側の面と光記録媒体側の面での色収差の発生の向きが逆になるので、アッベ数の小さい分散の大きい材料を利用できる。  
即ち、メニスカス形状の光ピックアップ用対物レンズでは、両凸レンズ形状のものに比して「高屈折率・低アッベ数の組合せ」の材質を用いることができる。
【００６０】
しかし、「凸面を光源側に向けたメニスカスレンズ」による光ピックアップ用対物レンズの場合にも、上記条件（２３）を満足することにより、レンズ面形状等、レンズ形状に対する条件が緩和されるので、これら条件を満足するのが良い。
このようにして、請求項１〜５において、条件（２１）〜（２３）を満足することにより、所要範囲の開口数を持ち、波面収差が「良好な光スポットを形成するために許容される波面収差の上限値：０．０１λ以下」となる光ピックアップ用対物レンズを、使用波長：４０７±１０ｎｍに対して実現することが可能である。
【発明の効果】
【００６１】
以上に説明したように、この発明によれば新規な光ピックアップ用対物レンズ、光ピックアップおよび光情報処理装置を実現できる。この発明の光ピックアップ用対物レンズは、単レンズ構成であるから、部品点数の増加、重量の増加、組付精度の高精度化という問題が無く、しかも、従来の１枚構成の対物レンズが達成できなかった８．５の開口数を有し、使用波長：４０７±１０ｎｍという波長の短さと相俟って、小径の光スポットを良好に形成することができる。
【００６２】
したがって、このような光ピックアップ用対物レンズを用いる光ピックアップは、高密度の情報処理に対応可能である。また、色収差補正や球面収差補正の機能を持つことにより、波長変動や基板厚誤差に対しても対応できる。
【００６３】
したがって、このような光ピックアップを用いる光情報処理装置は、上記使用波長の光記録媒体に対して良好に情報の記録や再生、消去を行うことができる。
【発明を実施するための最良の形態】
【００６４】
以下に、光ピックアップ用対物レンズの具体的な実施例を挙げる。  
煩雑を避けるため、図１、図２における各（ａ）図において符号を共通化し、符号１は「アパーチュア」、符号２は「光ピックアップ用対物レンズ」、符号３は「光記録媒体の光照射側基板（厚さ：０．１ｍｍ）」を表すものとする。
光源側（図１、図２の各（ａ）図の左側）からのレーザ光束は「平行光束」としてアパーチュア１の開口（開口径：φ＝３ｍｍ）を通過し、光ピックアップ用対物レンズ２に入射し、同レンズ２により集光光束とされ、光記録媒体の光照射側基板３を透過して記録面（光照射側基板３の右側面に合致）に光スポットを形成する。
【実施例】
【００６５】
以下、具体的な実施例を２例挙げる。  
実施例１は、光ピックアップ用対物レンズを「光源側に凸面を向けたメニスカスレンズ（請求項４）」とした場合の実施例であり、実施例２は、光ピックアップ用対物レンズを「曲率の強い面を光源側に向けた両凸レンズ（請求項２）」とした場合の実施例である。
各実施例において、開口数をＮＡ、焦点距離をｆ、レンズ材質のｄ線に対する屈折率及びアッベ数をｎｄおよびνｄで表す。
【００６６】
また、レンズ面の非球面形状は、光軸方向の座標：Ｘ、光軸直交方向の座標：Ｙ、近軸曲率半径：Ｒ、円錐定数：Ｋ、高次の係数：Ａ，Ｂ，Ｃ，Ｄ，Ｅ，Ｆ，・・を用いて、周知の非球面式：
Ｘ＝（Ｙ２／Ｒ）／［１＋√｛１−（１＋Ｋ）(Ｙ／Ｒ)２｝＋ＡＹ４＋ＢＹ６
＋ＣＹ８＋ＤＹ10＋ＥＹ12＋ＦＹ14＋ＧＹ16＋ＨＹ18＋ＪＹ20＋・・
で表し、Ｒ、Ｋ、Ａ、Ｂ、Ｃ、Ｄ、・・を与えて形状を特定する。
【００６７】
「実施例１」
実施例１の光ピックアップ用対物レンズは、請求項１、４、５記載のものの具体例であり、使用波長：４０７ｎｍである。  
ＮＡ：０．８５、ｆ：１．７６ｍｍ、ｎｄ＝１．７４３３０、νｄ＝４９．３６  
表１に具体的データを示す。
なお、表中の記号は、以下の通りである。
「ＯＢＪ」は物点（光源としての半導体レーザ）を意味するが、光ピックアップ用対物レンズは「無限系」であり、曲率半径：ＲＤＹ及び厚さ：ＴＨＩの「ＩＮＦＩＮＩＴＹ（無限大）」は光源が無限遠にあることを意味する。また「ＳＴＯ」はアパーチュア１の面であり、その曲率半径は「ＩＮＦＩＮＩＴＹ」で、厚さは設計上「０」としている。また、特に断らない限り、長さの次元を持つ量の単位は「ｍｍ」である。
「Ｓ１」は光ピックアップ用対物レンズの「光源側面」を、「Ｓ２」は「光記録媒体側面」を意味する。実施例１におけるレンズの肉厚は２．００００ｍｍであり、Ｓ２の欄の「曲率半径の右側」に記載された厚さ：０．４６８０３４ｍｍは「ワーキングディスタンス」を示す。
「Ｓ３」は光記録媒体の光照射側基板３の光源側面、「Ｓ４」は同記録面に合致した面であり、これらの面Ｓ３，Ｓ４の間隔、即ち、光照射側基板厚は０．１ｍｍ、材質：ＰＣは屈折率：ｎ＝１．５８のポリカーボネートである。「ＥＰＤ：入射瞳径」はアパーチュア１の開口径（３ｍｍ）を表し、「ＷＬ：波長」は使用波長（４０７ｎｍ）を表す。
なお、非球面係数の表示において、例えば「Ｄ：−．６２５２３０Ｅ−０４」とあるのは「Ｄ＝−０．６２５２３０×１０−４」を意味する。他の実施例の表示においても同様である。
【００６８】
【表１】
2007080505.tif 000037
【００６９】
実施例１で、Ｒ１＝１．３３３８６ｍｍ、ｆ＝１．７６ｍｍ、ｎｄ＝１．７４３３０、アッベ数：νｄ＝４９．３６、ワーキングディスタンス＝０．４６８０３４ｍｍである。
従って、Ｒ１/ｆ＝１．３３３８６/１．７６＝０．７５８、（１．０ｎｄ−０．７）＝１．７４３３０−０．７＝１．０４３（＞０．７５８）であり、ＷＤ/ｆ＝０．４６８０３４/１．７６＝０．２６６、（０．３３ｎｄ−０．１８）＝１．７４３３０×０．３３−０．１８＝０．５７６−０．１８＝０．３９５（＞０．２６６）であるから、Ｒ１、ｆ、ｎｄは、請求項１における条件（２１）および（２２）の範囲内にある。
アッベ数は条件（２３）の範囲内にあるが、屈折率：ｎｄは、条件（２４）の範囲外にあり、条件（２４）の上限よりも高い。
このように、実施例１では、レンズ形態がメニスカスレンズであることにより、波面収差：０．０１λ以下で良好な性能であるにも関わらず、屈折率については、条件（２４）の上限よりも高い材質の使用が可能となっている。
図１（ａ）に、実施例１に関するアパーチュア１、光ピックアップ用対物レンズ２、光照射側基板３の配置状態を示す。  
図１（ｂ）、（ｃ）には、実施例１の光ピックアップ用対物レンズの非点収差、球面収差（縦軸の目盛は入射瞳半径を１に規格化した値である）を示す。両収差とも極めて良好に補正されている。勿論「波面収差」は０．０１λ以下である。
【００７０】
「実施例２」
実施例２の光ピックアップ用対物レンズは、請求項１、２、３記載のものの具体例であり、使用波長：４０７ｎｍである。  
ＮＡ：０．８５、ｆ：１．７６ｍｍ、ｎｄ＝１．６９３３０、νｄ＝５３．１７  
表２に具体的データを、表１に倣って示す。
【００７１】
【表２】
2007080505.tif 000038
【００７２】
実施例２で、Ｒ１＝１．３５３０５ｍｍ、ｆ＝１．７６ｍｍ、ｎｄ＝１．６９３３０、アッベ数：νｄ＝５３．１７、ワーキングディスタンス＝０．６１５２４４ｍｍである。
従って、Ｒ１/ｆ＝１．３５３０５/１．７６＝０．７６９、（１．０ｎｄ−０．７）＝１．６９３３０−０．７＝０．９９３（＞０．７６９）であり、ＷＤ/ｆ＝０．６１５２４４/１．７６＝０．３４９、（０．３３ｎｄ−０．１８）＝１．６９３３０×０．３３−０．１８＝０．５５８−０．１８＝０．３７９（＞０．３４９）であるから、Ｒ１、ｆ、ｎｄは、請求項１における条件（２１）および（２２）の範囲内にある。
また、屈折率・アッベ数はともに条件（２３）、（２４）の範囲内にある。
図２（ａ）に、実施例２に関するアパーチュア１、光ピックアップ用対物レンズ２、光照射側基板３の配置状態を示す。  
図２（ｂ）、（ｃ）に、実施例２の光ピックアップ用対物レンズの非点収差、球面収差を示す。両収差とも極めて良好に補正されている。勿論「波面収差」は０．０１λ以下である。
【００７３】
上記実施例１、２はそれぞれ、請求項１記載の光ピックアップ用対物レンズの実施例であるが、これら各実施例における光ピックアップ用対物レンズは、実施例１において「光源側に凸面を向けたメニスカスレンズ」であり（請求項４）、実施例２において「光源側に強い曲率の面を向けた両凸レンズ」である（請求項２）。
【００７４】
以下「光ピックアップの実施の形態」を説明する。  
図３は「波長変動に起因する色収差を補正するための色収差補正手段」を有する光ピックアップの実施の１形態を示している。  
図３の光ピックアップの要部は、半導体レーザ４、コリメートレンズ５、偏光ビームスプリッタ６、偏向ミラー７、１／４波長板９と、光ピックアップ用対物レンズ１０（以下、単に対物レンズ１０と呼ぶ）と、検出レンズ１２、受光素子１３および色収差補正手段１４により構成されている。
【００７５】
半導体レーザ４から放射されたレーザ光束はコリメートレンズ５により実質的な平行光束に変換され、偏光ビームスプリッタ６を透過し、偏向ミラー７により光路を９０度折り曲げられ、色収差補正手段１４、対物レンズ１０を介して集光光束に変換され、光照射側基板厚：０．１ｍｍの光記録媒体１１に照射され、光照射側基板を透過して記録面上に光スポットを形成する。
【００７６】
対物レンズ１０の前段には１／４波長板９が配置され、光源側からの直線偏光を円偏光に変換する。光記録媒体１１により反射された光束は「戻り光束」となって、照射時の光路を逆進し、対物レンズ１０、１／４波長板９、偏向ミラー７を通って偏光ビームスプリッタ６に入射する。
【００７７】
１／４波長板９に入射する戻り光束は「往路とは逆周りの円偏光」であり、１／４波長板９を透過することにより、往路の偏光方向に直交する直線偏光となり、偏光ビームスプリッタ６で反射される。偏光ビームスプリッタ６で反射された戻り光束は、検出レンズ１２を介して受光素子１３に入射する。
【００７８】
受光素子１３は「サーボ信号の生成方法に従って適宜に分割された受光面」を有する。各受光面からの光電出力に基づき、トラッキング信号・フォーカシング信号が生成され、情報の再生時にはこれら信号と共に再生信号が生成される。これら信号は図示されない制御回路に向けて出力される。
【００７９】
半導体レーザ４としては、発光波長：４０７±１０ｎｍのものが用いられ、対物レンズ１０には、発光波長と開口効率に応じ、請求項１〜５記載の何れかに記載の対物レンズが用いられる。
【００８０】
半導体レーザ４の発光波長が規格波長からずれていたり、モードホッピングで発光波長が変化する「波長変動」があると、これに起因して前述の如く「色収差」が生ずる。色収差補正手段１４はこのような色収差を補正する。
【００８１】
図３の光ピックアップにおける色収差補正手段１４は、ダブレットレンズである。色消しレンズとして知られる「通常の色消しダブレットレンズ（アクロマートレンズ）」は、分散の小さいクラウンガラスの凸レンズと、分散の大きいフリントガラスの凹レンズとを貼合わせ、波長変動に対する色収差を抑えるが、「色収差補正手段」としてのダブレットレンズ１４は、主として対物レンズ１０での色収差を補正するため「対物レンズ１０と逆極性の色収差」を生じさせるものであり、このため、ダブレットレンズ１４の凸レンズ・凹レンズを構成する光学材料のアッベ数に大きな差（１０以上）を与えている。ダブレットレンズ１４で生じる色収差を大きくできるので、主に対物レンズ１０で発生する色収差の補正を十分に行うことができる。
【００８２】
図４（ａ）は「別の色収差補正手段を用いた光ピックアップ」の実施の形態を示している。図３におけると同一の符号を付した部分は、図３におけると同様であるので説明を省略する。この光ピックアップでは「色収差補正手段は対物レンズ１０に一体化」されている。
【００８３】
図４（ｂ）に示す例においては、色収差補正手段１４ａは、対物レンズ１０の光記録媒体側の面に密着された「対物レンズ１０とは逆極性の色収差を有する硝材或いは樹脂等」である。該樹脂としては、紫外線硬化剤として用いられているフォトポリマーなどが挙げられる。
【００８４】
密着させる光学材料（硝材あるいは樹脂）と対物レンズ１０とに「アッベ数の大きな差（１０以上）」を確保することにより、光記録媒体１１上に集光される光スポットが色収差の影響を受けないようにできる。
【００８５】
図４（ｃ）に示す例では、色収差補正手段１４ｂは「対物レンズ１０に設けられた回折面」である。対物レンズ１０のレンズ面（図の例では光源側面）に一体化された樹脂膜に形成された回折面１４ｂのパワーは波長に比例し、回折正レンズは波長が長くなると対物レンズのバックフォーカスが短くなる。一方、屈折レンズ（対物レンズ１０）では波長が長くなると材料の屈折率が低下するため長波長側でバックフォーカスが伸びる軸上色収差特性をもつ。このような回折レンズと屈折レンズの相反するデフォーカス特性により色収差補償が可能となる。
【００８６】
図５（ａ）は、基板厚誤差検出手段と球面収差補正手段を持つ光ピックアップの実施の形態を示している。図５（ａ）において、図３におけると同一の符号を付した部分は、図１３におけると同様のものであるので説明を省略する。
【００８７】
半導体レーザ４としては、発光波長：４０７±１０ｎｍのものが用いられ、対物レンズ１０としては、発光波長と開口効率に応じて請求項１〜５記載の何れかに記載の対物レンズが用いられる。
【００８８】
図５（ａ）において、符号１５は「基板厚誤差検出手段」としての「球面収差検出手段」を示し、符号１６は「球面収差補正手段」を示す。球面収差検出手段１５は実際の構成を簡略化して描いたものである。先に述べたように、光記録媒体１１における光照射側基板の厚みは０．１ｍｍが規格であるが、実際に製造された光記録媒体においては、製造誤差により±１０ｎｍ程度の「基板厚誤差」が存在する。
基板厚誤差が存在すると「対物レンズ１０と光照射側基板との合成系」に球面収差が発生し、記録面上に形成される光スポットの形状が劣化する。このように発生した球面収差は戻り光束の波面を歪ませることになり、検出レンズ１２を介して受光素子１３に向う光束にも球面収差が発生する。
【００８９】
図５（ｂ）はこの状態を示している。検出レンズ１２に図の左側から入射する戻り光束に球面収差が発生しているときには、戻り光束の基準波面に対して、光軸に対称に「波面の遅れ」があり、基準波面を集光したときの集光点に対し遅れた波面が集光する位置はデフォーカスとなる。
【００９０】
したがって、遅れた波面と進んだ波面の差を取り出してフォーカス状態を検出することで「波面収差の発生状況」を知ることができる。例えば、図５（ａ）における球面収差検出手段１５として「ホログラム、ビームスプリッタなどの光路分離手段、或いは液晶シャッタなどによるタイミングをずらす素子と、図５（ｂ）に示す如く、領域：Ａと領域：Ｂのように受光領域を分割された受光素子１３Ａと」を用い、各領域：Ａ、Ｂの受光出力を調べることにより、戻り光束における球面収差を検出することができる。
【００９１】
このように球面収差検出手段により検出される球面収差は、もとを質せば「光照射側基板の基板厚誤差に起因するもの」であるから、検出される球面収差と基板厚誤差とは互いに対応関係があり、従って戻り光束の球面収差を上記の如く検出することにより基板厚誤差を知ることができる。
このように知られた基板厚誤差に基づき、対物レンズ１０と光照射側基板とによる球面収差を補正して、記録面上に適正な光スポットを形成することが可能になる。
【００９２】
図５の実施の形態では、光照射側基板の基板厚誤差に対応して球面収差検出手段１５により検出される球面収差は、受光素子１３Ａの各領域：Ａ、Ｂからの光電出力信号を適宜に組合せて得られる「球面収差信号」として与えられる。
図５の実施の形態における球面収差補正手段１６は、２枚のレンズと、これらレンズの間隔を調整する間隔調整手段（図示されず）とにより構成されている。２枚のレンズは一方が正レンズ、他方が負レンズで、図の例では負レンズが光源側に配置されているが、正レンズを光源側に配置しても良い。
【００９３】
球面収差補正手段１６を構成する正・負レンズの間隔を変化させると、球面収差補正手段１６を対物レンズ１０側へ透過する光束に球面収差が発生するので、この球面収差により「対物レンズと光照射側基板とで発生する球面収差」を相殺するようにすればよい。
具体的には、球面収差補正手段１６における２枚のレンズの間隔を基準値にして「対物レンズと光照射側基板とで球面収差が発生しない場合」の前記「球面収差信号」が０となるように設定しておき、実際に球面収差が発生したときには、上記球面収差信号を０とするように、上記間隔を調整すればよい。
なお、球面収差補正手段を構成する正レンズ・負レンズは、その一方若しくは双方を複数枚のレンズで構成しても良い。
【００９４】
図６は、基板厚誤差検出手段と球面収差補正手段とを有する光ピックアップの実施の別形態を説明するための図である。図６（ａ）においても、図３におけると同一の符号を付した部分は、図３におけると同様のものであるので説明を省略する。
この実施の形態で用いられている球面収差補正手段１６Ａは「液晶素子と、これを駆動する電圧制御手段（図示されず）」で構成されている。  
液晶素子は、図６（ｂ）に示すように、少なくとも一方の透明電極が同心円状に分割され、各同心円帯の電極部分（と共通電極との間）に独立して電圧を印加できるようになっており、上記電圧を制御することにより、各電極部分の液晶の屈折率：ｎをｎ１からｎ２まで自在に変えることができる。
【００９５】
屈折率：ｎを変化させると、各領域を通過する光線に光路差：Δｎ・ｄ（Δｎは屈折率変化分、ｄは液晶のセル厚）、即ち、波長をλとして、位相差：Δｎ・ｄ（２π／λ）を与えることができる。
球面収差検出手段１５により検出される「対物レンズ１０と光照射側基板とで発生する球面収差を与える波面収差」が、例えば、図６（ｃ）の如きものであったとする。この波面収差を２次元曲線として示したのが図６（ｄ）の上の部分である。
【００９６】
このような波面収差に対し、対物レンズ１０に光源側から入射する光束に、図６（ｄ）の下側部分に示すような位相差が与えられるように、液晶素子の各同心円帯電極に印加する電圧を調整すると、液晶素子を透過する光束の各部での波面の遅れにより前記「波面収差」を打ち消すことができる。図６（ｅ）は、図６（ｄ）における実線（波面収差）と破線（液晶素子による波面の遅れ）の和、すなわち補正後の波面収差を示す。もとの波面収差（図６（ｄ）の上の部分）よりも格段に小さくなっていることが分かる。
【００９７】
図５、図６に示した実施の形態のように、光記録媒体の光照射側基板の基板厚誤差に起因する球面収差を、球面収差補正手段により補正することにより、記録面上に良好な光スポットを形成することができる。
なお、球面収差補正手段１６、１６Ａは、波面収差の変化量をΔＷ、対物レンズの開口数をＮＡとして、
ΔＷ＞｜２００ＮＡ２＋３７０ＮＡ−１７０｜
を満足するように補正を行うことにより、光スポットの品質を高め、高品質の情報記録・情報再生を行うことができる。
【００９８】
光記録媒体の記録面は１層に限らない。近来、記録面が多層に重畳され、重畳された各記録面に対して情報の記録・再生・消去を行いうるようにした多層光記録媒体が実用化されつつあり、この発明の光ピックアップ用対物レンズは、このような「多層光記録媒体に使用される無限系の光ピックアップ」においても用いることができる。
多層光記録媒体の複数の記録面に対して、独立に情報の書き込みと読み出しを行うには、記録面間を数１０μｍ以上離す必要があり、光照射側基板の表面から「記録等を行おうとする所望の記録面」までの距離が記録面に応じて変化することにより、記録面毎に固有の球面収差が生じることになる。
【００９９】
請求項９、１０の光ピックアップでは、所望の記録面に対し情報の記録や再生、消去を行うため、所望の面にフォーカスジャンプした際に発生する球面収差量を「球面収差検出手段」により検出し、「球面収差補正手段」により補正することができる。
【０１００】
図８において、符号６１０は「記録面を多層化された光記録媒体」を示す。符号６０１ｓは「光照射側基板の表面」を示し、この面の側から順次、第１面６０１ａ、・・第ｎ面６０１ｎが重畳されている。符号６０２ａは第１面６０１ａに集光する集束光束を示し、符号６０２ｂは第ｎ面６０１ｎに集光する集束光束を示している。
【０１０１】
このような多層光記録媒体を用いる光ピックアップの、具体的な実施の形態としては、上に説明した、図５、図６に示したものと同様の構成の光ピックアップとすることができる。
先に説明したところでは、図５、図６において、光記録媒体１１は「記録面が１面であるもの」であり、球面収差検出手段１５は光記録媒体１１における光照射側基板の基板厚誤差により発生する球面収差を検出し、このように検出された球面収差を、球面収差補正手段１６（正・負レンズ等）あるいは１６Ａ（液晶素子等）により補正した。
【０１０２】
図５、図６において光記録媒体１１として「多層光記録媒体」を用いる場合は、「所望の面にフォーカスジャンプした際に発生する球面収差量」を球面収差補正手段１５により検出し、検出された球面収差を、球面収差補正手段１６、１６Ａにより補正するようにすればよい。
【０１０３】
図７は、多層光記録媒体を用いる光ピックアップの、実施の別形態を示している。図３におけると同様のものには図３図におけると同一の符号を付し、説明を省略する。
図７において、光記録媒体１１は「多層光記録媒体」であり、対物レンズ１０は「光記録媒体１１にける光照射側基板の表面から最も離れた第ｐ面に光スポットを形成するときに波面収差が最小となる」ように設計されている。即ち、光照射側基板表面から第ｐ面までの距離が０．１ｍｍである。
【０１０４】
この場合、第ｐ面とは異なる第ｑ（≠ｐ）面に光スポットを形成するときは球面収差が発生するので、これを球面収差検出手段１５により検出し、球面収差補正手段１６Ｂにより補正する。
この実施の形態における球面収差補正手段１６Ｂは、厚さが段階的に異なる透明平行平板と、この透明平行平板における所望の厚さの部分を、対物レンズ１０と光記録媒体１１との間に出入させる駆動手段（図示されず）とから構成されている。
【０１０５】
透明平行平板は、光記録媒体と同じ材料で形成され、隣接記録面の間隔：ｔを単位として「厚さが階段状に変化」しており、第ｑ面に対して記録等を行うときには、厚さ：(ｐ−ｑ)ｔの部分を対物レンズ１０と光記録媒体１１の間に挿入する。これにより、任意の第ｑ面に記録や再生、消去を行う際、対物レンズ１０に対して、任意の記録面との間にある透明物質の厚さが変化しないため、球面収差によるスポットのぼけは発生せずに最良の記録再生が可能である。
【０１０６】
なお、記録面を多層化された光記録媒体に情報の記録等を行う場合の球面収差の補正は、前記波面収差の変化量をΔＷ、対物レンズの開口数をＮＡとして、
ΔＷ＞｜(ｐ−1)ｔ−２００ＮＡ２＋３７０ＮＡ−１７０｜
を満足するように行うことにより、光スポットの品質を高め、高品質の情報記録・情報再生を行うことができる。
【０１０７】
図３〜図７に実施の形態を示した光ピックアップは、光照射側基板厚：０．１ｍｍの光記録媒体１１に対して情報の記録・再生・消去の１以上を行う無限系の光ピックアップである。そして、使用波長が４０７±２０ｎｍで、対物レンズとして請求項１〜５の任意の１に記載の光ピックアップ用対物レンズ(具体的には、実施例１または２のもの)を用いるものである。
【０１０８】
図３、図４の光ピックアップは、波長変動に起因する色収差を補正するための色収差補正手段１４、１４ａ、１４ｂを有し、図３の光ピックアップでは、色収差補正手段１４が「正・レンズによるダブレットレンズ」であり、図４の光ピックアップでは「光ピックアップ用対物レンズに設けられた樹脂コート１４ａ」、あるいは「回折面１４ｂ」である。
【０１０９】
図５〜図８に示す光ピックアップは、光記録媒体の光照射側基板の基板厚誤差を検出する基板厚誤差検出手段１５と、基板厚誤差に起因する球面収差を、基板厚誤差検出手段１５が検出する基板厚誤差に基づいて補正する球面収差補正手段１６、１６Ａ、１６Ｂとを有し、図６の光ピックアップでは、球面収差補正手段１６が「レンズ間隔可変の正・負レンズ」であり、図６の光ピックアップでは「同心円状の電極パターンを持つ液晶素子」である。
【０１１０】
そして上記の如く、図６、図７の光ピックアップでは、光記録媒体が「多層光記録媒体で光照射側基板厚：０．１ｍｍのもの」である場合にも適応することができ、光照射側基板面から任意の記録面までの間隔に応じて変化する球面収差を検出する球面収差検出手段１５と、この球面収差検出手段により検出された球面収差を補正する球面収差補正手段１６Ａ、１６Ｂとを有し、使用波長：４０７±１０ｎｍで、光源からの光束を光記録媒体の所望の記録面上に光スポットとして集光させるための対物レンズとして請求項１〜５の任意の１に記載のものが用いられる。
【０１１１】
図５〜図８の光ピックアップにはまた、図３、図４に示したような「波長変動に起因する色収差を補正するための色収差補正手段１４、１４Ａ、１４Ｂを付加する」ことができる。また、例えば、図５における球面収差補正手段１６の２群のレンズに「分散の異なる硝材」を用いることにより、色収差補正手段としての機能を持たせることができる。即ち、色収差補正手段と球面収差補正手段とを一体とすることができる。
【０１１２】
図９は、光情報処理装置の実施の１形態を略示する図である。  
光情報処理装置１３０は光記録媒体に対して、光ピックアップを用いて情報の記録・再生・消去の１以上を行う装置である。この実施の形態において、光記録媒体１３１はディスク状であって、保護ケース１３２内に格納されている。光記録媒体１３１は保護ケース１３２ごと、挿入口１３６から光情報処理装置１３０に矢印「入」方向へ挿入セットされ、スピンドルモータ１３３により回転され、光ピックアップ１３５により情報の記録や再生、あるいは消去が行われる。
【０１１３】
光ピックアップ１３５として、上に実施の各形態を説明したものを適宜用いることができる。  
なお、光ピックアップにおける色収差を補正する技術は、従来から、例えば特開２０００−９０４７号公報、特公平６−１４１３５号公報、特開昭６２−３６６２１号公報、特開平９−１３８３４４号公報等により知られており、これら公知の適宜の方法を利用することができる。
【０１１４】
同様に、球面収差補正手段も従来から、特開２０００−１３１６０号公報や特開平１０−２０２６３号公報等によるものが知られており、従来から知られた球面収差補正手段を適宜利用することができる。
【図面の簡単な説明】
【０１１５】
【図１】実施例１の光ピックアップ用対物レンズの形態と非点収差、球面収差を示す図である。
【図２】実施例２の光ピックアップ用対物レンズの形態と非点収差、球面収差を示す図である。
【図３】光ピックアップの実施の１形態を説明するための図である。
【図４】光ピックアップの実施の別形態を説明するための図である。
【図５】光ピックアップの実施の他の形態を説明するための図である。
【図６】光ピックアップの実施の他の形態を説明するための図である。
【図７】光ピックアップの実施の他の形態を説明するための図である。
【図８】記録面を多層に重畳された光記録媒体を説明するための図である。
【図９】光情報処理装置の実施の１形態を要部のみ斜視図的に略示する図である。
【図１０】光ピックアップ用対物レンズの条件式を説明するための図である。
【図１１】光ピックアップ用対物レンズの条件式を説明するための図である。
【図１２】光ピックアップ用対物レンズの条件式を説明するための図である。
【符号の説明】
【０１１６】
１      アパーチュア
２      光ピックアップ用対物レンズ  
３      光照射側基板  
【手続補正３】
【補正対象書類名】図面
【補正対象項目名】全図
【補正方法】変更
【補正の内容】
【図１】
2007080505.tif 000039
【図２】
2007080505.tif 000040
【図３】
2007080505.tif 000041
【図４】
2007080505.tif 000042
【図５】
2007080505.tif 000043
【図６】
2007080505.tif 000044
【図７】
2007080505.tif 000045
【図８】
2007080505.tif 000046
【図９】
2007080505.tif 000047
【図１０】
2007080505.tif 000048
【図１１】
2007080505.tif 000049
【図１２】
2007080505.tif 000050